(57)【要約】【課題】１６色以上の表現が可能であり、字幕等に用いられる副映像情報に制約されず、コンテンツ製作者に対し、自由度の高い選択メニューの構築が可能な情報を記録することができる情報記憶媒体を提供することを目的とする。【解決手段】情報記憶媒体は、主映像と重畳して出力表示可能なグラフィックユニットを記録することができ、グラフィックユニットはハイライト情報、選択されるボタンのボタン形状を浮彫にするマスクデータ及び全てのボタン形状を表現するグラフィックデータを含み、ハイライト情報はカラーパレット情報、ボタン情報、隣接ボタン情報及びボタンコマンドを含む。【選択図】    図４１
2004343254.tif 000002
【特許請求の範囲】
【請求項１】
主映像と重畳して出力表示可能なグラフィックユニットを記録する情報記憶媒体。
【請求項２】
前記グラフィックユニットはボタンをハイライトさせるためのハイライト情報、選択されるボタンのボタン形状を浮彫にするマスクデータ及び全てのボタン形状を表現するグラフィックデータを含むことを特徴とする請求項１記載の情報記憶媒体。
【請求項３】
前記ハイライト情報はカラーパレット情報、ボタン情報、隣接ボタン情報及びボタンコマンドを含むことを特徴とする請求項２記載の情報記憶媒体。
【請求項４】
情報記憶媒体から主映像と重畳して出力表示可能なグラフィックユニットを再生する手段と、
再生したグラフィックユニットから副映像情報を分離する手段と、
を具備する情報再生装置。
【請求項５】
情報記憶媒体から主映像と重畳して出力表示可能なグラフィックユニットを再生し、再生したグラフィックユニットからハイライト情報を再生する情報再生方法。
【発明の詳細な説明】
【０００１】
【発明の属する技術分野】
本発明は情報記憶媒体（若しくは情報記録媒体）と情報再生装置と情報再生方法に関する。
【０００２】
【従来の技術】
このような情報記憶媒体としては集束光を用いてディジタル情報を再生可能なＤＶＤ（ｄｉｇｉｔａｌ  ｖｅｒｓａｔｉｌｅ  ｄｉｓｋ）と呼ばれる光ディスクがある。現行のＤＶＤの規格としては、読み出し専用のＤＶＤ−ＲＯＭ規格、追記型のＤＶＤ−Ｒ規格、書換え（１０００回程度）型のＤＶＤ−ＲＷ、書換え（１００００回以上）型のＤＶＤ−ＲＡＭ規格がある。いずれの規格にも、映像情報（ビデオデータ、副映像データ、音声データを総称したビデオオブジェクト）自体の光ディスク（情報記憶媒体）上に記録されたデータ構造とその映像情報を管理する管理データのデータ構造を規定するフォーマット規格がある。
【０００３】
再生専用の現行ＤＶＤビデオ規格は多数種類の言語に同時に対応し、マルチアングル・マルチストーリーなどのマルチシーン表現が可能なばかりでなく、メニュー画面が充実しておりユーザが見たいシーンへの直接アクセスが容易である等、ユーザに使い易い映像コンテンツを提供できるフォーマットになっている（例えば、特許文献１、特許文献２参照）。
【０００４】
上記のように再生専用の現行ＤＶＤビデオ規格はユーザに使い易い映像コンテンツを提供できるフォーマットになってはいるが、ユーザがより一層使い易くし、かつユーザに対するコンテンツ表現力をより一層豊かにするためには規格に対する改良が要求されている。
【０００５】
また、ユーザが使い易いコンテンツを提供するためには、オーサリング（ＤＶＤビデオディスクに記録するプログラムの作成と編集）が複雑になると言う問題がある。
【０００６】
現行ＤＶＤビデオ規格でのユーザに対するコンテンツ表現力が不足している部分、およびユーザが使い難い箇所またはユーザが使い易いコンテンツを提供するためにオーサリングが複雑になる箇所を具体的に列記する。
【０００７】
〔１〕ユーザが使い難い。またはユーザが使い易いコンテンツを作成するにはオーサリングが複雑であった。
【０００８】
（Ａ）タイトルの再生途中で再生中断を行い、何か別の処理をして、再度タイトルの再生に戻った時の再生開始位置に対する不具合点。
【０００９】
（Ａ１）映像を再生中断し、メニュや映像を切り替え表示した後に戻ると、元の中断位置からの再生が出来ない。
【００１０】
特定映像タイトルの再生途中で再生中断を行いメニュー画面に切り替えた後、ボーナスコンテンツを途中あるいは最後まで再生した後に、前回途中で中断を行った映像タイトルを再生しようとすると従来のＤＶＤビデオ規格で作ったコンテンツでは映像タイトルの先頭位置からしか再生できない場合が多い。ボーナスコンテンツの再生を開始した段階で、その前の特定映像タイトルのリジューム情報（再生中断位置情報）がこのボーナスコンテンツの位置情報に書き替えられるためで、ボーナスコンテンツを途中あるいは最後まで再生した後に先の映像タイトルの中断位置から再生を開始できるようなコンテンツにするためには複雑なオーサリング処理が必要となる。
【００１１】
（Ａ２）ゲームなどで再生中断後にゲームを再開しようとした時に切りの良い位置からの再生開始が出来ない。
【００１２】
特定タイトルとして上記の映像の代わりに“ゲーム”（例えばロールプレーイングゲーム）を行っていた場合、メニュー画面に戻った後、ゲームを再開する場合に中断位置では無く、ゲームの章の区切り目から開始させたいと言うコンテンツプロバイダ側からの要求があるが、現行のＤＶＤビデオ規格ではその対応が出来ない。
【００１３】
（Ｂ）表示用言語設定に関する使い難い部分がある。
【００１４】
（Ｂ１）コンテンツ内で指定できるコマンドでメニュー記述言語コードが変更できず、オーサリングが複雑である。
【００１５】
現行のＤＶＤビデオではメニュー記述言語コード（Ｍ＿ＬＣＤ）をナビゲーションデータのＳＰＲＭ（０）（０番目のシステムパラメータ：１６ビット）内に設定し、その値を図４８の情報再生装置のメモリ部１２２内に格納しておく。現行のＤＶＤビデオ規格ではコンテンツ内で設定出来るコマンドリスト内にＳＰＲＭ（０）の値を変更するコマンドは存在せず、特殊な条件下のユーザ指定のみによってのみＳＰＲＭ（０）の値の変更が可能となる。具体的には情報再生装置内に装備されるユーザ機能の内、Ｍｅｎｕ＿Ｌａｎｇｕａｇｅ＿Ｓｅｌｅｃｔ（）と呼ばれるユーザ操作機能を用いてＳＰＲＭ（０）の値を変更できるが、このＭｅｎｕ＿Ｌａｎｇｕａｇｅ＿Ｓｅｌｅｃｔ（）と呼ばれるユーザ操作は情報再生装置が動作停止している間しか設定できないと言う制約がある。このユーザ操作は、専用の画面を表示してリモコンを用いて設定する。
【００１６】
このようにＳＰＲＭ（０）の値をコンテンツ内で設定出来るコマンドで変更できないため、ＳＰＲＭ（０）の値がどのように設定されても対応可能なようにコンテンツ（特にメニュー情報に関するＶＯＢデータ）内に複数のメニュー記述言語コードに対してそれぞれメニュー記述言語コードを選択する画面を作る必要が有り、コンテンツ作成時のオーサリング作業が非常に大変だった。
【００１７】
（Ｂ２）ユーザが設定したメニュー記述言語コード情報が消される危険性が発生する。
【００１８】
例えば仮に（Ｂ１）の問題点を解消するためにコンテンツ内でＳＰＲＭ（０）の値を変更できるコマンドを新規に追加すると、折角ユーザが特定のメニュー記述言語コード（例えば、ＳＰＲＭ（０）に日本語）を設定してもコンテンツを再生することで自動的にＳＰＲＭ（０）の値が変更されてしまう危険性がある。コマンドにより自動的にメニュー記述言語コードが変更されるとユーザが不満を覚えるばかりでなく、ユーザがメニュー記述言語コードを再設定する必要が発生してユーザの負担が増すと言う問題点が発生する。
【００１９】
〔２〕ユーザに対するコンテンツ表現力が不足している箇所がある。
【００２０】
（Ｃ）静止画に対するシームレス再生に関する不具合点。
【００２１】
（Ｃ１）現状のＤＶＤビデオコンテンツでは動画と静止画との間のシームレス接続が出来ない。
【００２２】
現行のＤＶＤビデオでは動画（Ｍｏｖｉｅ  Ｃｏｎｔｅｎｔ）のシームレス再生を保証しており、異なるＶＯＢ間（または異なるタイトル）を跨いで（途中で動画の画面が途切れること無く）シームレスに接続再生が可能となっている。それに反して、例えばスライドショー（表示される静止画像が自動的に切り替わる静止画像に対する一つの表示方法）で表示した静止画から動画に切り替わる時にシームレス再生が保証されず、情報再生装置によっては途中で映像や音声が静止する場合がある。現行のＤＶＤビデオコンテンツでは静止画から動画に切り替わる時点でシームレス接続が保証されない理由は
ｉ）シームレス再生を保証するＥ−ＳＴＤ（Ｅｘｔｅｎｄｅｄ  ＳｙｓｔｅｍＴａｒｇｅｔ  Ｄｅｃｏｄｅｒ）モデルにおいて、動画オブジェクト内ではアクセスユニットが定義され、このアクセスユニットの境界位置で図４８に示す分離部１０３、ビデオデコーダ部１１１、副映像デコーダ部１１２、オーディオデコーダ部１１４に設定されるＳＴＣ（Ｓｙｓｔｅｍ  Ｔｉｍｅ  Ｃｌｏｃｋ：基準となるクロック値）の値が切り替わる。これに対して現行ＤＶＤでは静止画に対してはアクセスユニットが定義できない。
【００２３】
つまり、動画はフィールド単位で常に連続して画像（ピクチャ）を出力し続けているのに対し、例えばスライドショーで表示される静止画は断続的にのみ画像を出力する。静止画オブジェクト内のデータ構造としてはＭＰＥＧ２（Ｍｏｖｉｎｇ  Ｐｉｃｔｕｒｅ  Ｅｘｐｅｒｔｓ  Ｇｒｏｕｐ  ２）の規格に従い、１枚の静止画を構成するＩピクチャ（Ｉｎｔｒａ  ｐｉｃｔｕｒｅ）の直後にシーケンスエンドコード（ｓｅｑｕｅｎｃｅ＿ｅｎｄ＿ｃｏｄｅ）が配置され、ビデオデコーダ部１１１ではこのシーケンスエンドコードを検知すると次のＩピクチャが来るまでデコードを停止してしまう。従って、従来のＤＶＤビデオにおいては、静止画の断続的に出力するタイミングの間の期間では動画のようなアクセスユニットを設定出来なかった。
【００２４】
ｉｉ）従来のＤＶＤビデオでは静止画間の切り替えタイミングとして共通パリティー間の切り替えを許容していた。すなわち前の静止画がトップフィールド（またはボトムフィールド）で終了した後、次の静止画がトップフィールド（またはボトムフィールド）から開始されることが許容される。従ってフレームの途中で静止像から動画に切り替わるとシームレス接続が行えず、切り替わり目で画面が乱れる危険性があった。
【００２５】
（Ｃ２）静止画を組み合わせたマルチアングル再生や動画と静止画との間のマルチアングル再生が出来ない。
【００２６】
現行のＤＶＤビデオでは静止画（Ｓｔｉｌｌ  Ｐｉｃｔｕｒｅ  Ｃｏｎｔｅｎｔ）のスライドショーを組み合わせたマルチアングル再生や静止画のスライドショーと動画を組み合わせたマルチアングル再生が難しい。無理にマルチアングル再生対応コンテンツを作った場合には、静止画に対するシームレス再生が保証されてないため、マルチアングルになっている静止画が連続的に再生できなかったり（静止画像が連続的に切り替わらずに途中で静止画が止まったり）、マルチシーンの画面とワンシーケンシャルシーンの画面との間の切り替わり目でスムーズに切り替わらずに途中で画面が止まったりする。動画ではインターリーブドブロック（Ｉｎｔｅｒｌｅａｖｅｄ  Ｂｌｏｃｋ）内で各アングル毎に分散配置を行うインターリーブドユニット（ＩＬＶＵ：Ｉｎｔｅｒｌｅａｖｅｄ  Ｕｎｉｔ）が定義されているに対して、現行ＤＶＤビデオにおいて静止画に対するＩＬＶＵの定義が明確になって無いためである。また、静止画では画面切り替わりまでの期間が長く（同一の静止画を長時間再生し続けるので）、アングル切り替え直後に対応した静止画をすぐに表示できる仕組みが現状では無い。更に（Ｃ１）でも説明したように静止画に対応したＩピクチャの直後に配置されるシーケンスエンドコードを検出すると、次のＩピクチャが来るまでビデオデコーダ部１１１のデコード処理が一時停止されるので現行のＤＶＤビデオ規格上ではインターリーブドブロックを構成するセル内のビデオデータにはシーケンスエンドコードの配置を禁止している。
【００２７】
（Ｄ）セル単位のコマンドが含まれたＶＯＢの所ではシームレス再生が保証されない。
【００２８】
現行ＳＤ（Ｓｔａｎｄａｒｄ  Ｄｅｆｉｎｉｔｉｏｎ）のＤＶＤビデオではＰＧＣ（Ｐｒｏｇｒａｍ  Ｃｈａｉｎ）内のセル単位でのコマンド指定が可能になっている。このコマンド情報は図３５と同様にＰＧＣの管理情報が記録された領域であるＰＧＣＩ（Ｐｒｏｇｒａｍ  Ｃｈａｉｎ  Ｉｎｆｏｒｍａｔｉｏｎ）内のセルコマンド５１３領域内に記録される。このセルコマンド５１３が設定されているセルの再生が終了した時点でセルコマンドが実行されるため、次のセルの再生が一時中断され得る。そのため、現行のＳＤのＤＶＤビデオではセルコマンド５１３を含んだＶＯＢの再生時にセル間のシームレス再生が保証されていない。
【００２９】
（Ｅ）ハイライト情報に関する不具合点
（Ｅ１）ハイライト情報と副映像間で表示期間（設定期間）のずれが生じる。
【００３０】
ビデオタイトル映像の再生時にハイライト情報のメニューを表示させ、ユーザがインタラクティブな操作を出来るようにコンテンツを作れる。この場合、再生中のビデオタイトル映像内容に合わせてハイライト情報を切り替えたり、内容を変化させる必要があるのでハイライト情報の表示期間や有効的な実行可能期間の精度が重要となる。従来のＳＤのＤＶＤビデオコンテンツでは画面に表示されるボタンはボタンの画像を提供する副映像ストリームとボタンで指定したコマンドを実行するのに必要なハイライト情報が含まれるビデオストリームの２種類の異なるストリームの組み合わせで構成されている。
【００３１】
ハイライト情報の有効的な実行可能期間は開始と終了の時刻情報（ＰＴＭ：Ｐｒｅｓｅｎｔａｔｉｏｎ  Ｔｉｍｅ）で与えられ、主に字幕などに利用される副映像の表示期間と完全に一致しており、副映像が終了すると、メニュー選択も終了してしまうという問題を抱えている。そのため、コンテンツ製作者が、字幕とメニューを同時に組合せたコンテンツの製作を行おうとすると、副映像の有効（表示）期間内に、ユーザにメニュー選択を実行させなければならないなど、コンテンツ作成上の制約があり、コンテンツ製作者は、イメージ通りのコンテンツが作成できず、自由度が制限され、ユーザへ提供されるコンテンツの制限を余儀なくされた。
【００３２】
（Ｅ２）メニューの選択項目画像が色彩的に多彩で無い。
【００３３】
現状のＳＤのＤＶＤビデオコンテンツでは１６色の配色しか表現できないのでユーザへのアピール度が低く、多彩なカラー表現が出来ない。
【００３４】
（Ｅ３）ハイライト情報の指定領域を矩形以外の形に設定できない。
【００３５】
現状のＳＤのＤＶＤビデオコンテンツではハイライト情報の指定領域として矩形以外の形状は設定できず、例えば三角形や星形などのバラエティーを持ったコンテンツが作れなかった。
【００３６】
（Ｅ４）画面上の互いに離れた複数領域に対して同じボタンを設定できない。
【００３７】
現状のＳＤのＤＶＤビデオコンテンツではまとまった一箇所の領域内にしか同じボタンを設定できなかった。
【００３８】
それに比べてＰＣの画面やインターネットのホームページ画面では画面内の複数領域に対して同じＵＲＬをリンクさせることが容易であり、現状のＳＤのＤＶＤビデオコンテンツはＰＣ画面やインターネットのホームページ画面に対して見劣りしていた。
【００３９】
（Ｆ）メニュー画面切り替え時に背景音声が飛ぶと言う問題がある。
【００４０】
現状のＳＤのＤＶＤビデオコンテンツでは各メニュー毎にメニュー画面表示時の音声情報（バックグランドミュージック）が付随している。従ってメニュー画面を変える毎にそれに付随して音声情報が変化する。
【００４１】
メニューを切り替えても途切れること無く連続して背景音声が再生したいと言うコンテンツプロバイダの要求を現状のＳＤのＤＶＤビデオコンテンツでは満足できない。
【００４２】
【特許文献１】
米国特許第５，６３６，２００号明細書
【００４３】
【特許文献２】
特許第２，６７７，７７５号明細書
【００４４】
【発明が解決しようとする課題】
上記した従来技術においては、１画素２ビット表現（４色）の副映像情報では、高品位ＴＶ方式の高画質コンテンツに対して、字幕やメニュー情報として利用するには、その表現能力に限りがあり、コンテンツ製作者から１６色以上の表現能力が切望されてきた。
【００４５】
また、選択メニューに用いるハイライト情報が、副映像機能の一部を利用して為されるため、例えば、副映像情報を利用して字幕を作成する場合に、その字幕の表示終了時間に、選択メニューの選択も確定されなければならない等の制約があり、コンテンツ製作者の自由度を束縛するという課題があった。
【００４６】
上記特許文献には、上記課題を解決することについては、何らの記載もなされていないものである。
【００４７】
本発明は、上記の課題を解決するためになされたのもであり、１６色以上の表現が可能であり、字幕等に用いられる副映像情報に制約されず、コンテンツ製作者に対し、自由度の高い選択メニューの構築が可能な情報を記録することができる情報記憶媒体を提供することを目的とする。
【００４８】
【課題を解決するための手段】
上記した課題を解決し目的を達成するために、本発明は以下に示す手段を用いている。
【００４９】
本発明の情報記憶媒体は、主映像と重畳して出力表示可能なグラフィックユニットを記録する。
【００５０】
グラフィックユニットはボタンをハイライトさせるためのハイライト情報、選択されるボタンのボタン形状を浮彫にするマスクデータ及び全てのボタン形状を表現するグラフィックデータを含んでもよい。
【００５１】
ハイライト情報はカラーパレット情報、ボタン情報、隣接ボタン情報及びボタンコマンドを含んでもよい。
【００５２】
本発明の情報再生装置は、情報記憶媒体から主映像と重畳して出力表示可能なグラフィックユニットを再生する手段と、再生したグラフィックユニットから副映像情報を分離する手段とを具備する。
【００５３】
本発明の情報再生方法は、情報記憶媒体から主映像と重畳して出力表示可能なグラフィックユニットを再生し、再生したグラフィックユニットからハイライト情報を再生する。
【００５４】
【発明の実施の形態】
以下、図面を参照して本発明の実施の形態を説明する。
【００５５】
まず初めに本発明における特徴の全体を概観し、各特徴間の関係を説明する。次に、本明細書で注目する中心的技術内容である“リジューム情報制御”に関するポイントを説明した後、具体的な実施形態の説明を行う。
【００５６】
本発明は下記の（１）〜（５）の適宜な組み合わせで実施される。
【００５７】
（１）ハイライト情報を含む、１画素２５６色表現可能なグラフィックユニットを有する。
【００５８】
（２）上記グラフィックユニットは、副映像ストリームとは分離され、表示タイプ（ＨＤ、ＳＤワイド、４：３、レターボックス、パンスキャン）毎に異なるストリームを有する。
【００５９】
（３）上記ハイライト情報には、コントラストを含むカラーパレット情報を有し、通常用、選択用及び確定用の３つのカラーパレット情報を有する。
【００６０】
（４）上記グラフィックユニットには、どんなボタン形状も構築できる８ビット／画素のグラフィックデータと、そのグラフィックデータ上のボタン毎にボタンをマスキングできる１ビット／画素のマスクデータとを有する。
【００６１】
（５）上記ハイライト情報には、ボタン情報として、２つ以上のボタンを同一ボタンとして扱えるホットスポット位置情報、上下左右キーが押された場合に、ボタン間を移動するための隣接ボタン情報、ボタン確定時に実行されるボタンコマンドとを有する。
【００６２】
本明細書ではビデオデータ、副映像データ、音声データ、グラフィックデータを総称してビデオオブジェクトと呼び、ビデオオブジェクトとビデオオブジェクトの管理データを総称してコンテンツと言う言葉で表現する。また、違いを明確にするために従来のＤＶＤビデオコンテンツをＳＤ（Ｓｔａｎｄａｒｄ  Ｄｅｆｉｎｉｔｉｏｎ）コンテンツ、下記の（Ａ）〜（Ｆ）の特徴を持った本発明実施形態対象のコンテンツをＨＤ（Ｈｉｇｈ  Ｄｅｆｉｎｉｔｉｏｎ）コンテンツと言う言葉を使って使い分ける。
【００６３】
《全体の特徴説明》
〔１〕ユーザが使い難い。またはユーザが使い易いコンテンツを作成するにはオーサリングが複雑である問題点を解決する。
【００６４】
（Ａ）タイトル中断時の中断位置情報制御方法
〔ポイント１〕
リジューム情報への保存・廃棄ルールを現行ＤＶＤビデオ規格に対して変更し、図４８に示す情報再生装置のメモリー部１２２内に記録するリジューム情報の書き換え・変更禁止・情報内容の破棄処理に対して細かく制御可能とする。
【００６５】
〔ポイント２〕
情報再生装置のメモリー部１２２内に記録するリジューム情報が書き替えられた場合には、次のリジューム情報に対する制御指示が来るまで保持する。例えば、従来のＤＶＤビデオ規格では後述するＪｕｍｐＴＴやＪｕｍｐＶＴＳ＿ＴＴあるいはＪｕｍｐＶＴＳ＿ＰＴＴコマンドが実行された場合には、上記のリジューム情報内容を消す決まりがあったが、本発明ではそれを変更し、上記のコマンドが実行された後でもリジューム情報の内容を保持し、（Ａ１）に示した問題点の一部を解消する。
【００６６】
〔ポイント３〕
（Ａ１）に示した問題点の対策として、図２４に示すように各ＰＧＣに対してＲＳＭ（リジューム：Ｒｅｓｕｍｅ：再生再開）命令（画面上の選択による命令）や例えばユーザ指定に対応して実行されるＲｅｓｕｍｅ（）ファンクション（再生装置が行うコマンド）による再生再開が許可されるか否かを示すリジューム許可フラグ（Ｒｅｓｕｍｅ  ｐｅｒｍｉｓｓｉｏｎ  Ｆｌａｇ＝ＲＳＭ許可フラグ）を新たに設定する。具体的な内容として、後述するＣａｌｌＳＳコマンドを実行する時に、このＲＳＭ許可フラグが“０ｂ”に設定されていればリジューム情報の内容を更新し、“１ｂ”に設定されていれば更新を禁止する。
【００６７】
例えば（Ａ１）で説明した例では、ボーナスコンテンツが含まれるＰＧＣに対してリジューム情報の更新を禁止することにより、情報再生装置のメモリー部１２２内に記録されたリジューム情報はその前に中断された特定映像タイトルに対するリジューム情報が保持されることになる（詳細は後述する）。
【００６８】
〔ポイント４〕
（Ａ２）に示した問題点の対策として、図３５に示すようにプログラムチェーン情報ＰＧＣＩの中に新たにプログラムチェーン・コマンドテーブル（ＰＧＣ＿ＣＭＤＴ）５１を設定し、リジュームシーケンス情報を記録する。このプログラムチェーン・コマンドテーブル（ＰＧＣ＿ＣＭＤＴ）５１内に記載されたリジュームシーケンス情報はメニュー画面から該当するタイトルのＰＧＣに戻った直後に実行されるコマンド列（コマンドの連続的な繋がり順序）を意味している。メニュー画像から中断されたタイトルに対応したＰＧＣに戻り、リジューム情報に基づいて再生を開始する前には必ずこのリジュームシーケンス情報の有無を確認する。
【００６９】
リジュームシーケンス情報が無い場合には、リジューム情報に基づき中断位置からの再生を開始する。
【００７０】
もし、リジュームシーケンス情報がある場合には、リジュームシーケンス情報で指定された場所から再生を開始する。
【００７１】
例えば（Ａ２）に示した問題点の対策として、プログラムチェーン・コマンドテーブル（ＰＧＣ＿ＣＭＤＴ）５１内に記録されたリジュームシーケンス情報内に、“ゲームの区切り目の位置情報”をリジューム情報に書き替えるコマンドを設定しておくことで、メニュー画面から戻った直後にはゲームの区切り目から再生を開始させることが出来る（詳細内容は後述する）。
【００７２】
再生を中断した位置を示す情報としてセル番号、セルの先頭位置に配置されたナビパックのアドレス情報、ＰＧＣ再生制御状況、ＶＴＳ（ビデオタイトルセット：Ｖｉｄｅｏ  Ｔｉｔｌｅ  Ｓｅｔ）番号、タイトルドメイン内でのタイトル番号ＴＴＮ（このタイトル番号の値はＳＰＲＭ（４）の値として格納される）、タイトルドメイン内でのＶＴＳ内のタイトル番号ＶＴＳ＿ＴＴＮ（この値はＳＰＲＭ（５）の値として格納される）、タイトルドメイン内でのタイトルのＰＧＣ番号ＴＴ＿ＰＧＣＮ（ＳＰＲＭ（６））、１個のシーケンシャルＰＧＣのタイトルに対するパートオブタイトル番号ＰＴＴＮ（ＳＰＲＭ（７））、選択状態でのハイライトのボタン番号ＨＬ＿ＢＴＮＮ（ＳＰＲＭ（８））がリジューム情報として記録される。上記のようにメニュー画像から中断されたタイトルに対応したＰＧＣに戻って来た場合に限らず、リジューム情報の少なくとも一部が変化する場合など、例えばＳＰＲＭ（８）の情報に関連してハイライト位置情報が変わるなどの状況が変化した場合でも、必ずリジュームシーケンス情報の最後まで処理を実行するように設定している。
【００７３】
〔管理情報記録場所〕
リジューム情報を管理する情報の配置場所について第１の実施形態では図２３に示すようにＨＤビデオタイトルセット・プログラムチェーン情報テーブル（ＨＤＶＴＳ＿ＰＧＣＩＴ）４１２内のＨＤＶＴＳ＿ＰＧＣＩサーチポインタ４１２ｂ内のＨＤＶＴＳ＿ＰＧＣカテゴリ（ＨＤＶＴＳ＿ＰＧＣ＿ＣＡＴ）内にＲＳＭ許可フラグ（リジューム情報の更新許可フラグ）を持たせている。
【００７４】
また、他の実施形態（第２の実施形態）では図３３、図３４に示すようにプログラムチェーン・一般情報（ＰＧＣ＿ＧＩ）５０内のＲＳＭ＆ＡＯＢカテゴリ（ＲＳＭ＆ＡＯＢ＿ＣＡＴ）内にＲＳＭ許可フラグ（リジューム情報の更新許可フラグ）を持たせている。
【００７５】
また、（Ａ２）の問題を解決する特徴（Ａ）に関する〔ポイント４〕に示したタイトルのＰＧＣに戻った直後に実行されるコマンド列（コマンドの連続的な繋がり順序）を示すリジュームシーケンス情報は、図３５に示すようにリジューム（ＲＳＭ）コマンドシーケンスとしてプログラムチェーン・コマンドテーブル（ＰＧＣ＿ＣＭＤＴ）５１内にＲＳＭコマンド（ＲＳＭ＿ＣＭＤ）５１４が並んで配置される。また、プログラムチェーン・コマンドテーブル（ＰＧＣ＿ＣＭＤＴ）５１内に配置されたＲＳＭコマンド（ＲＳＭ＿ＣＭＤ）５１４の数情報であるＲＳＭ＿ＣＭＤ＿Ｎｓは図３６に示すようにプログラムチェーン・コマンドテーブル情報（ＰＧＣ＿ＣＭＤＴＩ）５１０内に記録されている。
【００７６】
〔管理情報内容〕
ＲＳＭ許可フラグ（リジューム情報の更新許可フラグ）とは該当するＨＤＶＴＳ＿ＰＧＣの再生を開始した段階でレジューム情報の内容を更新するか（該当するＰＧＣの再生状況に合わせてレジューム情報を逐次更新して行くか）否かを示す。すなわち、上記のフラグが“０ｂ”の場合はレジューム情報の更新を行い、“１ｂ”の場合はレジューム情報の更新を行わず、その前に再生したＨＤＶＴＳ＿ＰＧＣ（本発明のビデオタイトルセット内の対応したプログラムチェーン）の再生中断した情報を保持しておく処理を行う。
【００７７】
ＲＳＭコマンド（ＲＳＭ＿ＣＭＤ）５１４内の具体的なデータ構造は図３６に示すように、１個のコマンド毎に“８バイト分”の領域を割り当てられており、この“８バイト分”の領域内にコマンド内容が記録される。
【００７８】
（Ｂ）表示用言語設定
〔ポイント１〕
（Ｂ１）に示した問題点を解決するため、コンテンツ内でメニュー記述言語コードが設定できる画面を提供できるようにする。具体的には情報記憶媒体の挿入直後に最初に表示可能なファーストプレイＰＧＣ（ＦＰ＿ＰＧＣ）でメニュー記述言語コードの設定を可能とする。ユーザの画面上の選択で上記メニュー記述言語コートが設定できるコンテンツに対応するため、ＦＰ＿ＰＧＣは１個のＶＯＢ（ビデオオブジェクト：Ｖｉｄｅｏ  Ｏｂｊｅｃｔ）を持てるようにし、このＶＯＢは言語選択メニューにのみ使用可能とする。コンテンツが１言語しかサポートしない場合や、現状のメニュー記述言語コードの値を自動的に継承するコンテンツの場合には、ＦＰ＿ＰＧＣはメニュー画面用のＶＯＢを持たないこともある。メニュー記述言語コードの値を自動的に継承するコンテンツの例としては、自動的に情報再生装置の持っているＳＰＲＭ（０）の値とＨＤのＤＶＤビデオコンテンツがサポートする言語とを自動的に比較し、一致したらメニュー記述言語コードをそれに合わせるなどの実施形態がある。この場合には、自動的に比較するコマンド処理シーケンスであるリジュームシーケンス情報の情報がＦＰ＿ＰＧＣに関する管理情報であるＦＰ＿ＰＧＣＩ（ファーストプレイプログラムチェーン情報：Ｆｉｒｓｔ  Ｐｌａｙ  Ｐｒｏｇｒａｍ  Ｃｈａｉｎ  Ｉｎｆｏｒｍａｔｉｏｎ：図４）内に記録されている。
【００７９】
更に、このＦＰ＿ＰＧＣに対する制限条件として１個以下のセルを持てる（ＶＯＢがある時には１個のセルを規定し、メニュー記述言語コード選択用画面を持たないコンテンツの場合にはＶＯＢを持たないので、対応してＦＰ＿ＰＧＣの中にセルを含まない）構造にする。また、このＦＰ＿ＰＧＣではプログラムのシーケンシャル再生のみを許し、パレンタルブロック構造やマルチシーン構造を禁止する。更に、このＦＰ＿ＰＧＣ内で使用可能なストリームとして１個のみ（１個または０個）のオーディオストリームの使用を許可すると共に、サブピクチャ（副映像）ストリームの使用を禁止し、その代わり後述するグラフィックユニットＧＵの使用を導入する。
【００８０】
このため、本発明実施形態では複数のメニュー記述言語コードに対応してそれぞれメニュー記述言語コードを選択する画面を作る必要が無くなり、コンテンツ作成時のオーサリング作業が簡素化される。その結果、オーサリング作業時間が短縮される分コンテンツの販売価格を低下できる。
【００８１】
〔ポイント２〕
（Ｂ１）に示した問題点を解決するため、後述するように新たにＳｅｔＭ＿ＬＣＤコマンドを定義する。このＳｅｔＭ＿ＬＣＤコマンドによりＳＰＲＭ（０）の値が変更可能となる。このＳｅｔＭ＿ＬＣＤコマンドは後述するようにＳｅｔＳｙｓｔｅｍのコマンド領域内に含まれ、ＦＰ＿ＰＧＣの中でしか使用できない。具体的なコマンド内容としてはゼネラルパラメータもしくはＳｅｔＭ＿ＬＣＤ内で指定できる特定な値により言語コードとしてＳＰＲＭ（０）の値を設定する。
【００８２】
〔ポイント３〕
（Ｂ２）に示した問題点を解決するため、ユーザが設定したメニュー記述言語コードを保持できるように、ユーザのみが変更設定を可能としコマンドによる変更が不可能なメニュー記述言語コードを格納する場所としてＳＰＲＭ（２１）を新たに設定すると共に、従来から存在したＳＰＲＭ（０）の位置付けを若干変更する。すなわち、情報再生装置に設定されたパラメーターとして初期設定メニュー言語（Ｉｎｉｔｉａｌ  Ｍｅｎｕ  Ｌａｎｇｕａｇｅ）の格納場所としてＳＰＲＭ（２１）を新たに定義する。このＳＰＲＭ（２１）はユーザのみが変更設定可能なプレーヤ設定言語であり、コンテンツのプログラム内のコマンドでは変更不可能とする。
【００８３】
そして、ＳＰＲＭ（０）の位置付けを“再生中のカレントメニュー言語”の格納場所に変更する。このＳＰＲＭ（０）はユーザによる変更設定と共にコンテンツ内のコマンドによる変更設定の両方に対応可能にする。その結果、（Ｂ２）の所で説明したコマンドによりＳＰＲＭ（０）が変更されても、ユーザが設定したメニュー記述言語コードが保持でき、ユーザへの不快感や余計な負担を掛けずに済む。
【００８４】
〔具体的なＳＰＲＭ（０）とＳＰＲＭ（２１）の関係説明〕
ＳＰＲＭ（０）とＳＰＲＭ（２１）との関係を説明するため、情報再生装置（プレーヤ）内に情報記憶媒体を挿入した直後の動作の一例を示す。ファーストプレイＰＧＣ（ＦＰ＿ＰＧＣ）の処理を実行する前に、最初にユーザが情報再生装置に対して設定したメニュー記述言語コードである初期設定メニュー言語ＳＰＲＭ（２１）の値をＳＰＲＭ（０）にコピーする。
【００８５】
ＦＰ＿ＰＧＣの中にＳｅｔＭ＿ＬＣＤのコマンドが存在していれば、そのコマンドに従ってＳＰＲＭ（０）の値を変更できるが、（Ｂ２）の問題点回避のためにＳＰＲＭ（０）の値はＳＰＲＭ（２１）からコピーされた値が保持されていることが望ましい。仮にこの情報記憶媒体に記録されたコンテンツ内のＳｅｔＭ＿ＬＣＤコマンドによりＳＰＲＭ（０）がＳＰＲＭ（２１）とは異なる値に書き換えられたとしても、ＳＰＲＭ（２１）の値が保持されているので、次に別の情報記憶媒体が装着されるとＳＰＲＭ（０）の値がＳＰＲＭ（２１）の値に自動的に書き換えられるので、次の情報記憶媒体装着後には（Ｂ２）の問題点が回避できる。例えば、ＦＰ＿ＰＧＣ内にメニュー用ＶＯＢが存在せず、言語選択用メニューが図６に示したＨＤビデオマネージャメニュー・言語ユニット（ＨＤＶＭＧＭ＿ＬＵ）３１２内に存在する場合には、上記ＳＰＲＭ（０）の値に対応したＨＤビデオマネージャメニュー・言語ユニット（ＨＤＶＭＧＭ＿ＬＵ）３１２が選択される。ＳＰＲＭ（２１）の値はあくまでも情報再生装置の動作が停止している段階でユーザによってのみ変更が可能であるが、ユーザによってＳＰＲＭ（２１）の値が書き換えられている時でもＳＰＲＭ（０）の値は同時には書き換えられず従来の値のまま保持される。
【００８６】
〔情報再生装置内のパラメータ情報記録場所〕
図４８に示す情報再生装置内のシステムブロック図においてメモリ部１２２内に“０”から“２１”までのシステムパラメータＳＰＲＭを格納する領域が割り当てられている。このＳＰＲＭ（０）に再生中のカレントメニュー言語コード情報が、ＳＰＲＭ（２１）に初期設定メニュー言語コード情報が記録される。
【００８７】
〔オブジェクト情報記録場所〕
図１の（ｅ）に示すようにメニュー記述言語コードが設定できる画面をファーストプレイＰＧＣ用言語選択メニューＶＯＢＳ（ＦＰ＿ＰＧＣＭ＿ＶＯＢＳ）３５の領域に記録する。また、このオブジェクト情報（ビデオデータ）は図２に示すようにＨＤ＿ＦＰＰＧＣ．ＨＤＶという名前の単独ファイルとして独立させる。
【００８８】
〔管理情報記録場所〕
図４に示すようにＨＤビデオマネージャ情報・管理テーブル（ＨＤＶＭＧＩ＿ＭＡＴ）３１０内のファーストプレイＰＧＣＩ（ＦＰ＿ＰＧＣＩ）にメニュー記述言語コードが設定できる言語選択用メニューに対する管理情報が記録されている。
【００８９】
〔２〕ユーザに対するコンテンツ表現力が不足している箇所
（Ｃ）静止画のシームレス再生
〔ポイント１〕
従来のＤＶＤコンテンツでも動画間のシームレス接続は保証されている。従って上記（Ｃ１）と（Ｃ２）に示した問題点を解決するため、静止画が記録されたＶＯＢＳ（ビデオオブジェクトセット：Ｖｉｄｅｏ  Ｏｂｊｅｃｔ  Ｓｅｔ）に対してもＶＯＢの中身を動画が記録されたＶＯＢＳと同じイメージで定義することで、従来の動画間のシームレス接続と同様に静止画から動画へのシームレス接続（Ｃ１）と静止画のマルチアングル再生（Ｃ２）を保証できる所に特徴がある。
【００９０】
〔ポイント２〕
〔ポイント１〕の考え方を実現する具体的な方法を以下に説明する。シームレス再生を保証するＥ−ＳＴＤ（Ｅｘｔｅｎｄｅｄ  Ｓｙｓｔｅｍ  ＴａｒｇｅｔＤｅｃｏｄｅｒ）モデルを適用するため、静止画が記録されたＩピクチャの間の期間に“仮想アクセスユニット”を設定する所に特徴がある。アクセスユニットの設定方法として、本発明実施形態ではビデオフレームの期間またはビデオフレームの整数倍の期間を単位として静止画を開始するＩピクチャと次のＩピクチャとの間の間隔をアクセスユニットの期間毎に仮想的に細かく時間分割する。そして、情報再生装置は、仮想アクセスユニット毎に静止画が繰り返し再生表示されているものと仮想的に見なす。静止画のデコーダに入力されるタイミングを示すＤＴＳ（Ｄｅｃｏｄｉｎｇ  Ｔｉｍｅ  Ｓｔａｍｐ）と静止画が表示されるタイミングを示すＰＴＳ（Ｐｒｅｓｅｎｔａｔｉｏｎ  Ｔｉｍｅ  Ｓｔａｍｐ）は静止画１枚毎にあらかじめ設定されており、１ビデオフレーム期間はＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式とＰＡＬ（Ｐｈａｓｅ  Ａｌｔｅｒｎａｔｉｏｎ  ｂｙ  Ｌｉｎｅ）方式で決まっているので、“仮想アクセスユニット”の境界位置のタイミングを容易に算出できる。このように静止画像に対してもアクセスユニットを設定することで（Ｃ１）の問題点が解決される。すなわち、このアクセスユニットの境界位置で図４８に示す分離部１０３、ビデオデコーダ部１１１、副映像デコーダ部１１２、オーディオデコーダ部１１４に設定されるＳＴＣの値を切り替えて静止画から動画へのシームレス接続再生を可能にする。
【００９１】
静止画から動画へのシームレスな再生接続が保証されれば、ユーザは快適にコンテンツの観賞が出来るばかりでなく、コンテンツプロバイダとしてもユーザへの表現力が向上する。また、従来のＤＶＤビデオのオブジェクト構造を実質的に変更すること無く、仮想的な定義の変更のみで静止画から動画へのシームレス接続表示が可能になるため、従来ＤＶＤビデオのオーサリングツールを大部分利用可能となり本発明を製品化する際の媒体価格上昇を最大限に抑えられる。
【００９２】
〔ポイント３〕
（Ｃ１）の問題点を解決するポイントの一つとして静止画を含むＶＯＢＵに対する規定（制約）を〔ポイント２〕の内容に合わせて下記のように修正する。すなわち、“仮想アクセスユニット”の整数個で１個のＶＯＢＵを構成するように仮想的に設定する。その結果、各静止画のＶＯＢＵの表示期間はビデオフレームの整数倍となる。前記のように規定（制約）することで静止画から動画への切り替えタイミングは必ずビデオフレームの境界タイミングと一致するので切り替わり時の画面の乱れが防止できるとともに（インターレースされたフィールド表示では無く、隙間が埋められたフレームで表示できるので）切り替え直前・直後の画面を鮮明に表示できる。
【００９３】
ＶＡＵ（ビデオアクセスユニット：Ｖｉｄｅｏ  Ａｃｃｅｓｓ  Ｕｎｉｔ）内には静止画を示すＩピクチャが１個存在し、ＩＶＡＵ（仮想ＶＡＵ：Ｉｍａｇｉｎａｒｙ  Ｖｉｄｅｏ  Ａｃｃｅｓｓ  Ｕｎｉｔ）内ではＩピクチャを含まないので、ＩＶＡＵ内にはビデオデータが存在しないことになる。ＶＡＵ１からＩＶＡＵ１５までで構成されるＶＯＢＵとＶＡＵ１６からＩＶＡＵ３０までで構成されるＶＯＢＵには１個のみのＩピクチャが存在している。本発明実施形態では同一ＶＯＢＵ内に複数のＩピクチャを持つことを禁止し、必ず１個のＶＯＢＵ内には１個以下のＩピクチャを持つように規定（制約）している。また、ＭＰＥＧ２の規格に準拠してＩピクチャの後ろにシーケンスエンドコードを配置しているので、このようにＩピクチャを含むＶＯＢＵ内には必ず１個のシーケンスエンドコードを持つ（すなわちＩピクチャとシーケンスエンドコードを別のＶＯＢＵ内に分けること無く、両者を必ず同一のＶＯＢＵ内に含ませる）ように規定（制約）する。
【００９４】
また、同一ＶＯＢＵ内ではＩＶＡＵに先行して必ず先にＶＡＵが（仮想的に）配置した構造を取る。このようにＶＯＢＵ内で先頭位置にＶＡＵが配置された（仮想的な）構造にすることにより動画から静止画への切り替えを行った場合に、高速でＶＡＵ内のＩピクチャのデコードが可能となり、動画から静止画へのシームレス再生が可能となる。
【００９５】
ＩＶＡＵ３０からＩＶＡＵ４５により構成されるＶＯＢＵ内にはビデオデータ（Ｉピクチャ）を含まない。内部にビデオデータを持たないＶＯＢＵの定義も可能とする。
【００９６】
〔ポイント４〕
（Ｃ２）の問題点を解決する手段として静止画オブジェクトに対してＩＶＡＵを仮想的に定義するとともに、下記に示す方法によりＩＬＶＵ（Ｉｎｔｅｒｌｅａｖｅｄ  Ｕｎｉｔ）内への静止画データ（静止画オブジェクト）の配置を可能にする。すなわち、（Ｃ２）で説明したように現行ＤＶＤビデオにおける『ＩＬＶＢ（Ｉｎｔｅｒｌｅａｖｅｄ  Ｂｌｏｃｋ）を構成するセル内のビデオデータへのシーケンスエンドコードの配置を禁止』と言う制約を緩める。そして、ＶＯＢがＩＬＶＵ内に使われる場合には、１個以上のシーケンスエンドコードを持つＶＯＢに対して１個のＶＯＢＵ内の再生期間をビデオフレームの整数倍とし、各ＶＯＢＵ内にはビデオデータとして唯一のＩピクチャを持つか又はビデオデータを持たない構造とするという制約を掛ける。更にＩピクチャが含まれるＶＯＢＵ内には１個のシーケンスエンドコードを持たせると共に、ＩＬＶＵ内の最初のＶＯＢＵには必ずビデオデータ（静止画を記録したＩピクチャ）を持たせる。ユーザ指示などによりアングルを切り替えた直後には、必ず対応したアングルのＩＬＶＵの先頭位置へアクセスされるので、ＩＬＶＵの最初のＶＯＢＵに必ずビデオデータを持たせることでアングル切り替え時の静止画表示までの時間短縮が可能となる。
【００９７】
〔オブジェクト情報記録場所〕
図１の（ｆ）のタイトル用ビデオオブジェクト領域（ＨＤＶＴＳＴＴ＿ＶＯＢＳ）４３の中に上記仮想アクセスユニットが定義される静止画データが記録される。また、この領域は図２のＶＴＳ００１０２．ＨＤＶファイルを構成する。
【００９８】
〔管理情報記録場所〕
上記仮想アクセスユニットが定義される静止画データを管理する管理情報は図１の（ｆ）のＨＤビデオタイトルセット情報領域（ＨＤＶＴＳＩ）４１内に存在し、この領域は図２のＶＴＧＳ００１００．ＩＦＯファイル内にまとまっている。上述したようにビデオフレームの期間またはビデオフレームの整数倍の期間を単位として仮想的に細かく時間分割して仮想的にアクセスユニットの期間を設定するので、実際の仮想アクセスユニットの境界位置は計算上で算出することになる。
【００９９】
（Ｄ）セルコマンドを含むセルのシームレス再生
〔ポイント１〕
従来のＳＤのＤＶＤビデオではセルコマンドを持つセル間のシームレス再生を保証しなかったのに対して『セルコマンドを実行するセルに対してもマルチアングルなどの分岐点を持たない場合にはセル間のシームレス再生を保証』する所に特徴がある。すなわち、ビデオ再生においてマルチアングル等の分岐点を持たない限りにおいて（セルコマンドを実行する場合においても）可能な限り次のセルのビデオ再生を連続して開始することとし、それを可能にするための手段として前のセルの再生が完了した後、０．５秒以内に次のセルの再生を開始できるようにコンテンツの物理的配置などを工夫している。
【０１００】
〔ポイント２〕
また、セルコマンドを実行するセルに対してもセル間のシームレス再生が保証されている箇所に関してはオブジェクト（ビデオデータ）の管理情報の中に下記のように明記する。図３８に示したセル再生情報（Ｃ＿ＰＢＩ）５３０内のセルカテゴリ情報（Ｃ＿ＣＡＴ）には図示してないがシームレス再生フラグ、インターリーブ配置フラグ、ＳＴＣ不連続フラグ、セル再生モード情報が存在する。
【０１０１】
セルコマンドを実行するセルに対してもセル間のシームレス再生が保証されている箇所に関してシームレス再生フラグに対して『セルはシームレスに再生すべき』と設定し、インターリーブ配置フラグに対しては『連続ブロック内に存在している』と設定し、ＳＴＣ不連続フラグに対しては『ＳＴＣのリセットは不要』と設定し、セル再生モードに対しては『連続再生』と設定する。
【０１０２】
〔ポイント３〕
従来のＳＤのＤＶＤビデオでは各セルの再生終了時にセルコマンドのセットの中から１コマンドを選択して実行することになっているが、前記制約を撤廃してセルコマンドの実行は必ずしもセルの再生終了時の実行に限らないこととする。また、１個のセルに対するセルコマンドの実行は１コマンドのみに限らず、複数のコマンドを順次（シーケンシャルに）実行できるようにしている。すなわち、図３８に示すようにＨＤのＤＶＤビデオでは１個のセルに対する管理情報のセル再生情報（Ｃ＿ＰＢＩ）内にセルコマンド開始番号情報（Ｃ＿ＣＭＤ＿ＳＮ）とセルコマンド連続数情報（Ｃ＿ＣＭＤ＿Ｃ＿Ｎｓ）を持たせている。
【０１０３】
図３５に示すようにプログラムチェーン・コマンドテーブル（ＰＧＣ＿ＣＭＤＴ）５１内にセルコマンド（Ｃ＿ＣＭＤ）５１３がシーケンシャルに配置されている。セルコマンド開始番号情報（Ｃ＿ＣＭＤ＿ＳＮ）により複数配置されているセルコマンド（Ｃ＿ＣＭＤ）５１３列の内、上から何番目のセルコマンドからコマンドを実行するかを示し、そこから順次（シーケンシャルに）何個のコマンドを連続して実行するかをセルコマンド連続数情報（Ｃ＿ＣＭＤ＿Ｃ＿Ｎｓ）が示している。
【０１０４】
（Ｅ）ハイライト情報と副映像間のアンマッチ対策
〔ポイント１〕
（Ｅ１）の問題点を解決するため“グラフィックユニット”と言う独立したストリームを新たに定義し、そのグラフィックユニット内に同時にハイライト情報と（従来“副映像”が持っていた）グラフィックデータの両方を持たせ、副映像情報と分離することで、上記（Ｅ１）で説明したように、副映像情報の表示期間に左右されることなく、コンテンツ製作者は、イメージ通りのコンテンツが作成でき、自由度が向上し、結果ユーザへ多彩なコンテンツを提供することができる。
【０１０５】
また、グラフィックユニットとして１６：９のＨＤ画像、１６：９のＳＤ画像、４：３のＳＤ画像、レターボックスのＳＤ画像及びパンスキャンのＳＤ画像のそれぞれに対応した５種類が設定可能でそれぞれの種類に応じて５種類のサブストリームＩＤが設定可能となっている。
【０１０６】
従来のＳＤのＤＶＤビデオコンテンツではナビパック内のＰＣＩ記録領域内にハイライト情報を記録していたのに対し、本発明のＨＤのＤＶＤビデオコンテンツでは上記ハイライト情報の記録位置をグラフィックユニット内に移し、１画面内に同時に２４個までのボタン設定を可能とする。また、各ボタンに対して２５６色まで指定でき、選択時のハイライトなどで色の変更が可能である。さらに、２５６階調までのグラデーションによるコントラストのミキシングも表現できる。
【０１０７】
〔ポイント２〕
（Ｅ２）に示した問題点を解決するため、従来の副映像ストリームに対する配色数を増やす代わりに上記の“グラフィックユニット”内のグラフィックデータに対する使用可能な配色数を２５６色（８ビットによる色表現）とする。その結果、鮮やかな色彩を持ったグラフィックユニット画像をユーザに表示可能となり、ユーザへの表示インパクトが向上すると共にユーザがメニュー選択し易くなる。
【０１０８】
〔ポイント３〕
（Ｅ３）に示した問題点を解決するため、上記の“グラフィックユニット”内にグラフィックデータとマスクデータを持たせ、両者共に表示パターンをビットマップ状に設定可能とすることで任意の形状を設定できるようにした。その結果、星形や楕円形のハイライト情報指定領域（任意のボタン形状）が作成可能となり、従来のＳＤのＤＶＤコンテンツよりも遙かに見栄えの良い画面が提供できる。
【０１０９】
〔ポイント４〕
（Ｅ４）に示した問題点を解決するため、上記の“グラフィックユニット”内にマスクデータを持たせ、このマスクデータとして画面内の互いに離れた複数領域（ホットスポット）を同時に設定可能とした。つまり、ハイライト情報の各ボタンに対してマスキングデータを重ねて設定できる構造にした。その結果、画面内の互いに離れた複数領域に対して同一のＵＲＬを設定できるＰＣ画面やインターネットのホームページ画面と比べて見劣りがせず、ユーザに取って使い易いメニュー画面を提供できる。
【０１１０】
〔オブジェクト情報記録場所〕
下記の４箇所内にグラフィックユニットを記録できる。
【０１１１】
（１）図１の（ｅ）のファーストプレイＰＧＣ用言語選択メニューＶＯＢＳ（ＦＰ＿ＰＧＣＭ＿ＶＯＢＳ）３５の領域で図２のＨＤ＿ＦＰＰＧＣ．ＨＤＶファイル内にまとまっている。
【０１１２】
（２）図１の（ｅ）のメニュー用ビデオオブジェクト領域（ＨＤＶＭＧＭ＿ＶＯＢＳ）３２の領域で図２のＨＤ＿ＶＭＧ０１．ＨＤＶファイル内にまとまっている。
【０１１３】
（３）図１の（ｆ）のメニュー用ビデオオブジェクト領域（ＨＤＶＴＳＭ＿ＶＯＢＳ）４２の領域で図２のＶＴＳ００１００．ＨＤＶファイル内にまとまっている。
【０１１４】
（４）図１の（ｆ）のタイトル用ビデオオブジェクト領域（ＨＤＶＴＳＴＴ＿ＶＯＢＳ）４３の領域で図２のＶＴＳ００１０１．ＨＤＶやＶＴＳ００１０２．ＨＤＶファイル内にまとまっている。
【０１１５】
〔オブジェクト情報内のデータ構造〕
図３９の（ｄ）に示すように１６：９のＨＤ画像、１６：９のＳＤワイド画像、４：３のＳＤ画像、レターボックスのＳＤ画像、パンスキャンのＳＤ画像のそれぞれに対応した５種類のストリームに別々に記録される。
【０１１６】
また、図４１、図４２に示すようにグラフィックユニットＧＵ内部はハイライト情報（ＨＩＬ）ｂ２とマスクデータｂ３、グラフィックデータｂ４から構成される。
【０１１７】
〔管理情報記録場所〕
ＰＧＣ内に配置するグラフィックユニットのストリームに関する制御情報を図３３、図３４のＰＧＣ・グラフィックユニットストリーム・制御テーブル（ＰＧＣ＿ＧＵＳＴ＿ＣＴＬＴ）内に持たせる。
【０１１８】
〔管理情報内容〕
ＨＤビデオマネージャのメニュー内に含まれるグラフィックユニットに関する管理情報として図４に示すようにＨＤビデオマネージャ情報・管理テーブル（ＨＤＶＭＧＩ＿ＭＡＴ）３１０内にＨＤＶＭＧＭのグラフィックユニットストリーム数情報（ＨＤＶＭＧＭ＿ＧＵＳＴ＿Ｎｓ）とＨＤＶＭＧＭのグラフィックユニットストリーム属性情報（ＨＤＶＭＧＭ＿ＧＵＳＴ＿ＡＴＲ）を持つ。
【０１１９】
また、ＨＤＶＴＳ（ＨＤのビデオタイトルセット）内に含まれるグラフィックユニットに関する管理情報は図２１に示すように、グラフィックユニットストリーム数情報と属性情報がＨＤＶＴＳ内のメニュー画面とタイトル（表示映像）に分かれてそれぞれＨＤＶＴＳＭ＿ＧＵＳＴ＿Ｎｓ、ＨＤＶＴＳＭ＿ＧＵＳＴ＿ＡＴＲ、ＨＤＶＴＳ＿ＧＵＳＴ＿Ｎｓ、ＨＤＶＴＳ＿ＧＵＳＴ＿ＡＴＲＴの情報として記録されている。
【０１２０】
ＰＧＣ内に配置するグラフィックユニットのストリームに関する制御情報が記録されるＰＧＣ・グラフィックユニットストリーム・制御テーブル（ＰＧＣ＿ＧＵＳＴ＿ＣＴＬＴ）内の情報は図３３、図３４に示すように４種類の各画像（１６：９のＨＤ画像、１６：９のＳＤ画像、４：３のＳＤ画像、レターボックスのＳＤ画像）に対応してそれぞれ別領域に記録する。
【０１２１】
（Ｆ）メニュー画面切り替え表示時のオーディオデータ再生
〔ポイント１〕
（Ｆ）に示した問題点を解決するため、メニューに対応した独自のオーディオデータ格納場所を設定する。メニューを表示するＰＧＣの再生開始時間に同時にこの独自のオーディオデータの再生表示を開始する。また、一連のメニュー表示が完了するなどオーディオデータの再生が不要となる（例えばＶＴＳの）ＰＧＣの再生が開始すると同時に、オーディオデータの再生表示を停止する。メニュー表示する前に事前にオーディオデータを図４８のメモリ部１２２内にコピーしておき、ユーザがメニューを遷移しながら表示している期間の間、メモリ部１２２にコピーしたオーディオデータを連続的に繰り返し再生し続ける。メモリ部１２２にコピー可能なオーディオデータの最大容量を８ＭＢと設定している。圧縮オーディオデータの転送レートが例えば３８４Ｋｂｐｓの場合には８ＭＢの最大容量が有れば２．５分に相当するオーディオデータの格納が可能となる。
【０１２２】
〔ポイント２〕
従来のＳＤ用ＤＶＤビデオで存在したビデオ用ＶＯＢＳ内に記録されているオーディオデータと上記に示した独自のオーディオデータ間の選択再生指示が可能なようにオーディオデータの選択指定情報をＰＧＣの管理情報であるＰＧＣＩ内に持たせた所にも特徴がある。その結果、コンテンツプロバイダはメニューを切り替えても連続表示されるオーディオデータと、各メニュー毎に最適に設定されたオーディオデータの選択が指定でき、コンテンツプロバイダのユーザへの表現力が向上する。
【０１２３】
〔オブジェクト情報記録場所〕
図１の（ｅ）に示すようにＨＤビデオマネージャ記録領域３０内に新たにメニュー表示時に平行して出力する音声情報が記録されるメニュー用オーディオオブジェクト領域（ＨＤＭＥＮＵ＿ＡＯＢＳ）３３を設ける。このメニュー用オーディオオブジェクト領域３３のファイル構造内での記録場所として図２に示すようにＶＩＤＥＯ＿ＨＤの共通なディレクトリ（フォルダ）内にＨＤ＿ＭＥＮＵ０．ＨＤＡファイルとして独自のファイル内に記録する。本発明実施形態では情報記憶媒体内にメニュー用のオーディオオブジェクト（オーディオデータ）を複数種類記録が可能になっている。それぞれのメニュー用のオーディオオブジェクト（ＡＯＢ）は図１９に示すようにメニュー用オーディオオブジェクト領域（ＨＤＭＥＮＵ＿ＡＯＢＳ）３３内に順番に配置記録されている。
【０１２４】
〔管理情報記録場所〕
このメニュー用オーディオオブジェクト領域（ＨＤＭＥＮＵ＿ＡＯＢＳ）３３のオブジェクトに対する管理データを図３に示すようにＨＤビデオマネージャ情報領域（ＨＤＶＭＧＩ）３１内のＨＤメニュー・オーディオオブジェクトセット情報テーブル（ＨＤＭＥＮＵ＿ＡＯＢＳＩＴ）３１８内に記録する。
【０１２５】
また、メニュー用ＡＯＢ（ＨＤＭＥＮＵ＿ＡＯＢ）を参照（指定）する情報の設定場所として本発明実施形態では全体のメニューに関しては図７に示すようにＨＤビデオマネージャメニュー・言語ユニット３１２ｃ内のＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ２内のＨＤＶＭＧＭ＿ＰＧＣカテゴリ情報（ＨＤＶＭＧＭ＿ＰＧＣ＿ＣＡＴ）内に配置し、ＨＤＶＴＳ単位でのメニューに関しては図２６に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に配置する。
【０１２６】
本発明の他の実施形態では図３３、図３４に示すようにプログラムチェーン・一般情報（ＰＧＣ＿ＧＩ）５０内のＲＳＭ＆ＡＯＢカテゴリ（ＲＳＭ＆ＡＯＢ＿ＣＡＴ）内に配置する。
【０１２７】
〔管理情報内容〕
全体のメニューに関しては図７に示すようにＨＤビデオマネージャメニュー・言語ユニット３１２ｃ内のＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ内のＨＤＶＭＧＭ＿ＰＧＣカテゴリ情報（ＨＤＶＭＧＭ＿ＰＧＣ＿ＣＡＴ）内に、ＨＤＶＴＳ単位でのメニューに関しては図２６、図２７に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に
（１）ＨＤＭＥＭＵ＿ＡＯＢＳの中の再生するＡＯＢ番号＃ｎ（図１９で並んでいるメニュー用ＡＯＢ（ＨＤＭＥＮＵ＿ＡＯＢ）の内、何番目のＡＯＢが対応するか）を指定する音声情報番号と、
（２）本発明におけるＨＤコンテンツのメニューを画面表示した時に同時に再生する音声情報の選択情報と、音声情報再生の開始・継続・終了トリガー情報を示す音声情報選択フラグが記録される。
【０１２８】
図７と図２４または図３３、図３４ではメニュー画面表示時に同時に表示するメニュー用オーディオオブジェクトを指定する管理情報を示している。それに対応してメニュー用のオーディオオブジェクト自体に対する管理情報内容は図１７に示すようにＨＤメニュー・オーディオオブジェクトセット情報テーブル情報（ＨＤＭＥＮＵ＿ＡＯＢＳＩＴＩ）３１８ａと情報記憶媒体内に記録されているメニュー用ＡＯＢのそれぞれに対する個々の管理情報であるＨＤメニュー・オーディオオブジェクト情報（ＨＤＭＥＮＵ＿ＡＯＢＩ）３１８から構成される。
【０１２９】
このＨＤＭＥＮＵ＿ＡＯＢＩにはＨＤＭＥＮＵ＿ＡＯＢの再生情報（曲の再生時間）を表すＨＤＭＥＮＵ＿ＡＯＢ＿ＰＢＩ、オブジェクトの属性（ＬＰＣＭやＡＣ−３など）を表すＨＤＭＥＮＵ＿ＡＯＢ＿ＡＴＲ、ＨＤＭＥＮＵ＿ＡＯＢ＃ｎの先頭アドレス、終了アドレスを示すＨＤＭＥＮＵ＿ＡＯＢ＿ＳＡ、ＨＤＭＥＮＵ＿ＡＯＢ＿ＥＡが含まれる。また先頭、終了アドレスについてはＨＤＭＥＮＵ＿ＡＯＢ＃ｎの絶対もしくは相対のサイズが書かれる場合もある。
【０１３０】
また、上記（１）、（２）の情報は図３３においてＲＳＭ＆ＡＯＢ＿ＣＡＴで表現することもできる。〔アクセス情報〕
図４に示すように情報記憶媒体（光ディスクまたはＨＤのＤＶＤディスク）内でのメニュー表示時に同時に出力する音声情報が記録されるメニュー用オーディオオブジェクト領域（ＨＤＭＥＮＵ＿ＡＯＢＳ）３３が記録されている場所を示すＨＤＭＥＮＵ＿ＡＯＢＳの先頭アドレス情報（ＨＤＭＥＮＵ＿ＡＯＢＳ＿ＳＡ）とそのメニュー用オーディオオブジェクトに対する管理情報が記録されているＨＤメニュー・オーディオオブジェクトセット情報テーブル（ＨＤＭＥＮＵ＿ＡＯＢＳＩＴ）３１８が記録されている場所を示すＨＤＶＭＧＭ＿ＡＯＢＳ情報テーブルの先頭アドレス情報（ＨＤＭＥＮＵ＿ＡＯＢＳＩＴ＿ＳＡ）がＨＤビデオマネージャ情報・管理テーブル（ＨＤＶＭＧＩ＿ＭＡＴ）３１０内に記録される。
【０１３１】
（Ｇ）上記の特徴を持ち、ユーザに対する表現力を一層向上させると共に、ユーザが使い易いコンテンツを図２に示すように従来のＤＶＤビデオコンテンツが記録されている場所とディレクトリ（フォルダ）を分けて管理している。すなわち、従来のＤＶＤビデオコンテンツは映像情報（ビデオデータ、副映像データ、音声データを総称したビデオオブジェクト）とその映像情報を管理する管理データをまとめてＶＩＤＥＯ＿ＴＳと言う名のディレクトリ（フォルダ）の下にまとめて配置して管理している。
【０１３２】
それに対して（Ａ）〜（Ｆ）の特徴を持つコンテンツを映像とその映像情報を管理する管理データを一緒に図２に示すようにＶＩＤＥＯ＿ＨＤと言う名の別ディレクトリ（フォルダ）内で管理し、情報再生装置の再生制御の利便性を向上させている。
【０１３３】
本発明に対応したＨＤコンテンツではメニュー表示時に同時に出力する音声情報が記録されているＨＤ＿ＭＥＮＵ０．ＨＤＡファイルが存在するが、そのファイルは従来のＤＶＤビデオコンテンツには存在しない。
【０１３４】
また、本発明に対応した情報再生装置では図４８に示すようにグラフィックデコーダ部１１３を持つが、従来のＤＶＤビデオコンテンツを再生する情報再生装置では持っていない。従って、従来のＤＶＤビデオコンテンツと本発明のＨＤコンテンツを混在再生する場合に、情報再生装置側でコンテンツ毎に使用する回路と制御プログラムを切り替える必要がある。図２に示すように、コンテンツ毎にディレクトリ（フォルダ）を分けることで情報再生装置側でのコンテンツ識別が非常に容易となり、ファイルへのアクセス時に回路と制御プログラムを切り替える処理によりＨＤとＳＤコンテンツの混在再生時に高速かつスムーズに切り替え処理が行える。
【０１３５】
《各特徴間の関係（効果説明）》
本発明では（Ａ）、（Ｂ）の特徴を組み合わせることで簡単なオーサリングによりユーザが使い易いコンテンツを提供し、（Ｃ）〜（Ｆ）の特徴を組み合わせてユーザに対するコンテンツ表現力を一層豊かにし、ユーザに対してＤＶＤビデオの魅力を更に高められる。
【０１３６】
具体的に（Ａ）〜（Ｆ）の特徴を組み合わせた効果について２例を上げて説明する。
【０１３７】
〔Ｉ〕ユーザがメニューから最適な言語を選択後、別メニューを使って見たい場所を探す場合の例
本発明の情報再生装置にＨＤのＤＶＤビデオディスク（情報記憶媒体）を装着後、最初に表示される画面（ＦＰ＿ＰＧＣ）でユーザの言語選択用画面が表示される（Ｂ）。この時にユーザが選択する言語を示すハイライト情報に対して従来の矩形とは異なる独自の形状を画面に表示する（Ｅ）ことでユーザが言語選択し易くすることが出来る。例えば、各国の言語を画面に表示する時にハイライト情報の表示範囲を対応する国の地図上の形を表示し、選択すべき言語を読まずにハイライト情報の表示範囲の形状を識別するだけでユーザが希望の言語を指定可能となる。また、地球儀や世界地図で日本が赤く塗りつぶされている場合が多い。従ってグラフィックユニットの表示色を２５６色持たせ（Ｅ）、（日本語を赤く表示するなど）言語毎に対応した色で表示し、ユーザが色を識別しただけで対応言語の識別を可能に出来る。
【０１３８】
また、ユーザが言語選択後にタイトルのサムネール（頭出し位置を指定する先頭画面を示した縮小画像）一覧表に移り、見たい映像場所を探す場合が多い。従来のＤＶＤビデオのメニューでもサムネールの下に頭出し位置を示すテキストが表示されている場合が多い。この時にグラフィックユニットを用いてユーザが見たい場所の検索をより一層容易にすること（Ｅ）も可能となる。すなわち、映像タイトル内で大きく場面が変わる等の大きな切れ目を表す場所にはハイライト情報の表示範囲を“星形”に表示すると共に、その中を赤などの目立つ色で表現し、それよりも下の階層に属し、スキップ先を示す程度の場所を“丸印”で表示すると共に、淡い黄色や薄い青で表現して大きな切れ目は無いようにグラフィカルに表示することが可能となる。
【０１３９】
更に（Ｆ）に掲げた特徴を活用すると、『ユーザが言語選択後にタイトルのサムネール一覧表に移り見たい映像場所を探す』と言う一連の操作の期間中に（言語選択用メニュー画面からタイトルサムネール一覧画面への切り替わり時でも）途切れること無く連続して音声情報を出力することが可能となり、ユーザが気持ちよくメニュー間の切り替えが行える。
【０１４０】
図４８に示す情報再生装置において上記を可能にする具体的な処理方法について説明する。情報再生装置にＨＤのＤＶＤビデオディスク（情報記憶媒体１）を装着すると、ディスクドライブ部１０１が管理情報である図１の（ｅ）に示すＨＤビデオマネージャ情報領域（ＨＤＶＭＧＩ）３１とＨＤビデオタイトルセット情報領域（ＨＤＶＴＳＩ）４１を読み込み、メモリー部１２２に読み込む。次にＭＰＵ部１２１がメモリー部１２２に一時記憶された内容を解析してプリロード再生対象のオーディオデータＡＯＢの有無を確認する。ＭＰＵ部１２１がプリロード再生対象のオーディオデータＡＯＢが存在すると判定すると、ディスクドライブ部１０１を制御して図１の（ｅ）に示すメニュー用オーディオオブジェクト情報（ＨＤＭＥＮＵ＿ＡＯＢＳ）３３を読み取り、メモリー部１２２に一時保存する。次に、図４に示したファーストプレイＰＧＣＩ（ＦＰ＿ＰＧＣＩ）の情報に従ってユーザに対する言語選択用メニュー画面を表示すると同時に、メモリー部１２２に一時保存されたオーディオデータＡＯＢの再生を開始する。次に、タイトルのサムネール一覧を示す画面にユーザが切り替えた時点で図２７に示すＨＤＶＴＳＭ＿ＰＧＣ＿ＣＡＴ内の音声情報番号が言語選択用メニュー表示時に再生したＡＯＢ番号と一致し、音声情報選択フラグが“１０ｂ”（ＨＤＭＥＮＵ＿ＡＯＢＳが続けて再生される）を設定された場合には、メニュー画面の切り替えに影響を受けずに引き続き連続してオーディオデータが出力される。
【０１４１】
〔ＩＩ〕映像タイトル再生途中でメニュー画面とボーナスコンテンツを表示した後映像タイトルに戻る場合の例
仮想ＶＡＵ（ＩＶＡＵ）を定義することで静止画像を連続的に再生する複数種類のスライドショーから構成されるマルチアングル、または静止画像のスライドショーと動画から構成されるマルチアングルの再生をシームレスに行える（Ｃ）。また、セルコマンドを実行するセル間の再生をシームレスに再生できる（Ｄ）。このシームレスな再生を管理する管理情報である例えば図２４に示すＨＤＶＴＳ＿ＰＧＣ＿ＣＡＴ内のＲＳＭ許可フラグの設定方法（“０ｂ：許可”の設定）により、上記に示したマルチアングルのシームレス再生途中、またはセルコマンドを実行するセル間でのシームレス再生途中でユーザがメニュー画面を呼び出した後に例えば映画の予告編を表示したり、撮影現場を写すなどのボーナスコンテンツを表示後（但しボーナスコンテンツに対応したＨＤＶＴＳ＿ＰＧＣ＿ＣＡＴ内のＲＳＭ許可フラグを“１ｂ：禁止”に設定した場合）に元に戻した時に、引き続きマルチアングルのシームレス再生またはセルコマンドを実行するセル間でのシームレス再生を継続させることが可能となる（Ａ）。特に、従来のＳＤのＤＶＤビデオ規格上では静止画像のスライドショーと動画から構成されるマルチアングルに対するシームレスな再生が保証されていないが、特徴（Ａ）と（Ｃ）の組み合わせあるいは（Ａ）と（Ｄ）の組み合わせにより、マルチアングル映像再生途中で“メニュー画面”→“ボーナスコンテンツ再生”と画面が飛んだ後に元の静止画像のスライドショーと動画から構成されるマルチアングル映像に戻り、引き続いてシームレス再生を継続させる等の多彩な表現形態が実現できる。
【０１４２】
更にこれらの特徴を組み合わせて多彩な表現形態が示せる例として、
（１）画家の名前が（副映像で）表示され、音声により解説付きで連続的に切り替わる絵画の表示途中で
（２）解説用の音声言語をメニュー画面で切り替え、更に
（３）副映像で同時に表示された画家の名前表示を消すようにメニュー画面で切り替え、
（４）特定の絵画について詳細に説明したボーナス映像を再生した後
（５）メニュー画面に移行する直前の絵画から再生を継続させる
などの処理を行った場合についてこれらの特徴の組み合わせ効果を説明する。従来のＳＤのＤＶＤビデオ規格では（５）の操作に戻った時には『メニュー画面に移行する直前の絵画から再生を継続させる』ことは容易で無く、（５）の操作に戻った時にユーザは最初から絵画をめくる必要があった。無理に直前の絵画からの再生継続を可能にプログラミングした場合には複雑なオーサリング処理が必要となる。また、（２）と（３）を行った時に音声データが途切れること無く連続に再生することは従来のＤＶＤビデオでは不可能であり、特徴（Ｆ）を達成して始めてそれが可能となる。特徴（Ａ）と（Ｃ）と（Ｄ）と（Ｆ）を同時に達成可能なデータ構造を規格上で規定することで、図４８に示す情報再生装置のメモリー部１２２のメモリー容量の設定とメモリー領域内の管理方法の設定を行い、特徴（Ａ）と（Ｃ）と（Ｄ）と（Ｆ）の同時達成を可能とする。すなわち、特徴の（Ａ）に対応してメニュー画面への切り替わり時に、システムパラメーターの４（タイトル番号）から８（ハイライトボタン番号）の値の設定をすると共に、対応するセル番号情報と該当セルの最初に配置されたナビゲーションパックのアドレス情報、ＶＴＳの番号の情報を記録するメモリー部１２２内の領域を確保し、また図２４のＲＳＭ許可フラグ情報に基づき前記情報の管理を行う。また、（Ｃ）を並列実行するために仮想ビデオアクセスユニットＩＶＡＵに対応したインターリーブユニット（ＩＬＶＵ）分のデータが記録できる場所をメモリー部１２２内に確保する。また、（Ｆ）を達成可能なように事前に一時記憶する（プリロード）音声データの格納領域をメモリ部１２２内に割り当て、図８および図２７に示した音声情報選択と音声情報番号に基づき前記割り当て領域内の管理を行う。本発明実施形態における情報再生装置ではこのようにメモリー部１２２内の管理を行って特徴（Ａ）と（Ｃ）と（Ｄ）と（Ｆ）の同時達成を可能にしている。
【０１４３】
また、特徴（２）と（３）の操作の段階で特徴（Ｅ）を用いてユーザにとって選択メニューを見易く、かつ選択し易いように（従来のＤＶＤビデオ規格上では不可能だった）２５６色の色表現とハイライト情報の表示輪郭を（矩形以外の）独自形状にし、特徴（Ｆ）と組み合わせてユーザに一層の快適感を提供できる。
【０１４４】
また、本発明実施形態ではＦＰ＿ＰＧＣでは副映像ストリームを持つことを禁止し、その代わりグラフィックユニットを使用するように規定しているため、ユーザへの言語選択メニュー画面がグラフィックユニットで規定された２５６色表現とハイライト情報を示す画面領域の輪郭形状を（矩形に限らず）多彩に設定できるため、ユーザへの言語選択メニュ画面がより一層選択し易くなる。例えば
○日本語を選ぶ場所では“日本語”と記述されると共に画面領域を“日本地図の形状”にし、その中を地球儀や世界地図でよく使われる“赤”で塗りつぶし、○英語（米語）を選ぶ場所では“Ｅｎｇｌｉｓｈ”と記述すると共に画面領域を星条旗を意識して“星形”に設定し、
○さらに星条旗の星が入っている部分の色を利用して星の中を“青”で塗りつぶす
ように表現すると、ユーザは文字を読むまでも無く形や色で言語コードを選択できる。
【０１４５】
特に、図４に示すように（Ｂ）の特徴を発揮するユーザに対する言語選択用メニューに対する管理情報が記録されているファーストプレイＰＧＣＩ（ＦＰ＿ＰＧＣＩ）の情報が、そして（Ｆ）の特徴を発揮するＨＤＭＥＮＵ＿ＡＯＢＳの先頭アドレス情報（ＨＤＭＥＮＵ＿ＡＯＢＳ＿ＳＡ）とＨＤＶＭＧＭ＿ＡＯＢＳ情報テーブルの先頭アドレス情報（ＨＤＭＥＮＵ＿ＡＯＢＳＩＴ＿ＳＡ）、（Ｅ）の特徴を発揮するＨＤＶＭＧＭのグラフィックユニットストリーム数情報（ＨＤＶＭＧＭ＿ＧＵＳＴ＿Ｎｓ）とＨＤＶＭＧＭのグラフィックユニットストリーム属性情報（ＨＤＶＭＧＭ＿ＧＵＳＴ＿ＡＴＲ）を共通のＨＤビデオマネージャ情報・管理テーブル（ＨＤＶＭＧＩ＿ＭＡＴ）３１０内に配置することで管理が容易となり、本発明実施形態の情報再生装置において（Ａ）〜（Ｆ）の特徴を同時にあるいは連続してユーザに表現する場合の処理プログラムの簡素化が図れ、情報再生装置の信頼性と安定性が向上させられるばかりで無く、プログラムの簡素化に起因した情報再生装置の低価格化を達成できる。
【０１４６】
同様に図３３、図３４に示すように本発明実施形態における（Ａ）の特徴を発揮するＲＳＭ許可フラグフラグ情報、（Ｅ）の特徴を発揮するＰＧＣ・グラフィックユニットストリーム・制御テーブル情報（ＰＧＣ＿ＧＵＳＴ＿ＣＴＬＴ）と（Ｆ）の特徴を発揮する音声情報選択と音声情報番号を共通のプログラムチェーン一般（ＰＧＣ＿ＧＩ）５０内に配置することで管理が容易となり、本発明実施形態の情報再生装置において（Ａ）〜（Ｆ）の特徴を同時に、あるいは連続してユーザに表現する場合の処理プログラムの簡素化が図れ、情報再生装置の信頼性と安定性が向上させられるばかりで無く、プログラムの簡素化に起因した情報再生装置の低価格化を達成できる。
【０１４７】
図１に本発明実施形態におけるディスク形状の情報記憶媒体１（図１の（ａ））に記録される情報内容について説明する。図１の（ｂ）に示すように情報記憶媒体１は内周側からリードイン領域１０、データ領域１２，リードアウト領域１３から構成されている。
【０１４８】
情報記憶媒体１ではファイルシステムにＩＳＯ９６６０とＵＤＦのブリッジ構造を採用し、データ領域１２の一部にＩＳＯ９６６０とＵＤＦのボリューム／ファイル構造情報領域１１を持っている。データ領域１２内には図１の（ｃ）に示すようにビデオデータ記録領域２０と一般のコンピュータ情報記録領域２２の混在配置が許されている。ビデオデータ記録領域２０内は図１の（ｄ）に示すようにビデオデータ記録領域２０内に記録されたＨＤのＤＶＤビデオコンテンツ全体に関する管理情報が記録されたＨＤビデオマネージャ記録領域（ＨＤＶＭＧ：ＨＤ対応のビデオマネージャ）３０と、各タイトル毎にまとめられ、各タイトル毎の管理情報と映像情報（ビデオオブジェクト）がまとめて記録されたＨＤビデオタイトルセット記録領域（ＨＤＶＴＳ：ＨＤ対応のビデオタイトルセット）４０から構成されている。
【０１４９】
ＨＤビデオマネージャ記録領域（ＨＤＶＭＧ：ＨＤ対応のビデオマネージャ）３０の中は図１の（ｅ）に示すようにビデオデータ記録領域２０全体に関わる管理情報を示すＨＤビデオマネージャ情報領域（ＨＤＶＭＧＩ：ＨＤ対応のビデオマネージャ情報）３１と、そのバックアップ用としてＨＤビデオマネージャ情報領域（ＨＤＶＭＧＩ：ＨＤ対応のビデオマネージャ情報）３１と全く同じ情報が記録されたＨＤビデオマネージャ情報バックアップ領域（ＨＤＶＭＧＩ＿ＢＵＰ）３４、ビデオデータ記録領域２０全体を示すトップメニュー画面が記録されたメニュー用ビデオオブジェクト領域（ＨＤＶＭＧＭ＿ＶＯＢＳ）３２から構成されている。更に、本発明実施形態ではＨＤビデオマネージャ記録領域３０内に新たにメニュー表示時に平行して出力する音声情報が記録されるメニュー用オーディオオブジェクト領域（ＨＤＭＥＮＵ＿ＡＯＢＳ）３３を新たに設けている。本発明実施形態ではメニュー記述言語コードが設定できる画面をファーストプレイＰＧＣ用言語選択メニューＶＯＢＳ（ＦＰ＿ＰＧＣＭ＿ＶＯＢＳ）３５の領域に記録する。
【０１５０】
各タイトル毎の管理情報と映像情報（ビデオオブジェクト）がまとめて記録された１個のＨＤビデオタイトルセット記録領域（ＨＤＶＴＳ：ＨＤ対応のビデオタイトルセット）４０の内部はＨＤビデオタイトルセット記録領域（ＨＤＶＴＳ：ＨＤ対応のビデオタイトルセット）４０内の全コンテンツに対する管理情報が記録されているＨＤビデオタイトルセット情報領域（ＨＤＶＴＳＩ）４１と、そのバックアップデータでＨＤビデオタイトルセット情報領域（ＨＤＶＴＳＩ）４１と全く同じ情報が記録されたＨＤビデオタイトルセット情報バックアップ領域（ＨＤＶＴＳＩ＿ＢＵＰ）４４、ビデオタイトルセット単位でのメニュー画面の情報が記録されたメニュー用ビデオオブジェクト領域（ＨＤＶＴＳＭ＿ＶＯＢＳ）４２と、このビデオタイトルセット内でのビデオオブジェクト（タイトルの映像情報）データが記録されているタイトル用ビデオオブジェクト領域（ＨＤＶＴＳＴＴ＿ＶＯＢＳ）４３から構成される。
【０１５１】
各領域はＩＳＯ９６６０とＵＤＦのブリッジ構造を持ったファイルシステムではそれぞれ別々のファイルを構成することになる。従来のＳＤのＤＶＤビデオコンテンツは図２に示すように“ＶＩＤＥＯ＿ＴＳ”と言う名のディレクトリ下にまとめて配置されているのに対して、本発明実施形態で示すＨＤのＤＶＤビデオコンテンツはそれとディレクトリを分け、“ＶＩＤＥＯ＿ＨＤ”と言うディレクトリの下にまとめて配置することになる。
【０１５２】
すなわち、このメニュー用オーディオオブジェクト領域３３のファイル構造内での記録場所として、図２に示すようにＶＩＤＥＯ＿ＨＤの共通なディレクトリ（フォルダ）内にＨＤ＿ＭＥＮＵ０．ＨＤＡファイルとして独自のファイル内に記録する。また、ファーストプレイＰＧＣ用言語選択メニューＶＯＢＳ（ＦＰ＿ＰＧＣＭ＿ＶＯＢＳ）３５の領域内の最初にメニュー記述言語コードを設定する画面データ（ビデオデータ）を単独ファイルとして独立させ、ファイル名をＨＤ＿ＦＰＰＧＣ．ＨＤＶとする。また、ＨＤビデオマネージャ情報領域（ＨＤＶＭＧＩ：ＨＤ対応のビデオマネージャ情報）３１はＨＤ＿ＶＭＧ００．ＨＤＩファイル内、ＨＤビデオマネージャ情報バックアップ領域（ＨＤＶＭＧＩ＿ＢＵＰ）３４はＨＤ＿ＶＭＧ００．ＢＵＰファイル内、メニュー用ビデオオブジェクト領域（ＨＤＶＭＧＭ＿ＶＯＢＳ）３２はＨＤ＿ＶＭＧ０１．ＨＤＶファイル内、ＨＤビデオタイトルセット情報領域（ＨＤＶＴＳＩ）４１はＶＴＳ００１００．ＩＦＯファイル内、ＨＤビデオタイトルセット情報バックアップ領域（ＨＤＶＴＳＩ＿ＢＵＰ）４４はＶＴＳ００１００．ＢＵＰファイル内、メニュー用ビデオオブジェクト領域（ＨＤＶＴＳＭ＿ＶＯＢＳ）４２はＶＴＳ００１００．ＨＤＶファイル内、タイトル用ビデオオブジェクト領域（ＨＤＶＴＳＴＴ＿ＶＯＢＳ）４３はＶＴＳ００１０１．ＨＤＶファイルやＶＴＳ００１０２．ＨＤＶファイル内とそれぞれ個別のファイル内に格納される。
【０１５３】
図１の（ｅ）に示すＨＤビデオマネージャ情報領域（ＨＤＶＭＧＩ）３１内の詳細なデータ構造を図３に示す。
【０１５４】
メニュー用オーディオオブジェクト領域（ＨＤＭＥＮＵ＿ＡＯＢＳ）３３のオブジェクトに対する管理データを図３に示すようにＨＤビデオマネージャ情報領域（ＨＤＶＭＧＩ）３１内のＨＤメニュー・オーディオオブジェクトセット情報テーブル（ＨＤＭＥＮＵ＿ＡＯＢＳＩＴ）３１８内に記録する。ＨＤビデオマネージャ情報・管理テーブル（ＨＤＶＭＧＩ＿ＭＡＴ）３１０からＨＤビデオマネージャメニュービデオオブジェクトユニットアドレスマップ（ＨＤＶＭＧＭ＿ＶＯＢＵ＿ＡＤＭＡ）３１７までのデータ構造は従来のＳＤのＤＶＤビデオの管理情報と一致している。本発明実施形態では新規に追加するＨＤメニュー・オーディオオブジェクトセット情報テーブル（ＨＤＭＥＮＵ＿ＡＯＢＳＩＴ）３１８を従来のＤＶＤビデオの管理情報と一致している部分と分けてその後ろに配置することで、従来のＳＤのＤＶＤビデオの管理情報を使った従来の制御プログラムの兼用使用を可能として本発明実施形態に対応した情報再生装置の制御プログラムの簡素化を図ることができる。
【０１５５】
また、ＨＤビデオマネージャ情報領域（ＨＤＶＭＧＩ）３１内には他にビデオデータ記録領域２０内に記録されたＨＤのＤＶＤビデオコンテンツ全体に共通する管理情報を纏めて記録したＨＤビデオマネージャ情報・管理テーブル（ＨＤＶＭＧＩ＿ＭＡＴ）情報３１０、ＨＤのＤＶＤビデオコンテンツ内に存在する各タイトルの検索（頭出し位置検出）に役立つ情報が記録されたタイトルサーチポインタテーブル（ＴＴ＿ＳＲＰＴ）情報３１１、メニューを表示するメニュー記述言語コード毎に分けられて配置されたメニュー画面の管理情報が記録されているＨＤビデオマネージャメニュー・ＰＧＣＩ・ユニットテーブル（ＨＤＶＭＧＭ＿ＰＧＣＩ＿ＵＴ）情報３１２、子供に見せられる映像と見せられない映像をパレンタル情報として管理する情報が記録されたパレンタル管理情報テーブル（ＰＴＬ＿ＭＡＩＴ）情報３１３、タイトルセットの属性に関してまとめて記録されているＨＤビデオタイトルセット属性情報テーブル（ＨＤＶＴＳ＿ＡＴＲＴ）情報３１４、ユーザに表示するテキスト情報がまとまって記録されたテキストデータマネージャ（ＴＸＴＤＴ＿ＭＧ）情報３１５、メニュー画面を構成するセルの開始アドレスの検索に役立つ情報が記録されたＨＤビデオマネージャメニューセルアドレステーブル（ＨＤＶＭＧＭ＿Ｃ＿ＡＤＴ）情報３１６、メニュー画面を構成するビデオオブジェクトの最小単位を示すＶＯＢＵのアドレス情報が記録されたＨＤビデオマネージャメニュービデオオブジェクトユニットアドレスマップ（ＨＤＶＭＧＭ＿ＶＯＢＵ＿ＡＤＭＡＰ）情報３１７が存在する。
【０１５６】
図３のＨＤビデオマネージャ情報・管理テーブル（ＨＤＶＭＧＩ＿ＭＡＴ）３１０内の詳細なデータ構造を図４に示す。
【０１５７】
図４に示すように（Ｂ）の特徴を発揮するユーザに対する言語選択用メニューに対する管理情報が記録されているファーストプレイＰＧＣＩ（ＦＰ＿ＰＧＣＩ）の情報が、そして（Ｆ）の特徴を発揮するＨＤＭＥＮＵ＿ＡＯＢＳの先頭アドレス情報（ＨＤＭＥＮＵ＿ＡＯＢＳ＿ＳＡ）とＨＤＶＭＧＭ＿ＡＯＢＳ情報テーブルの先頭アドレス情報（ＨＤＭＥＮＵ＿ＡＯＢＳＩＴ＿ＳＡ）、（Ｅ）の特徴を発揮するＨＤＶＭＧＭのグラフィックユニットストリーム数情報（ＨＤＶＭＧＭ＿ＧＵＳＴ＿Ｎｓ）とＨＤＶＭＧＭのグラフィックユニットストリーム属性情報（ＨＤＶＭＧＭ＿ＧＵＳＴ＿ＡＴＲ）を共通のＨＤビデオマネージャ情報・管理テーブル（ＨＤＶＭＧＩ＿ＭＡＴ）３１０内に配置する。
【０１５８】
また、ＨＤビデオマネージャ情報・管理テーブル（ＨＤＶＭＧＩ＿ＭＡＴ）３１０内にはその他にＨＤビデオマネージャ識別子（ＨＤＶＭＧ＿ＩＤ）、ＨＤビデオマネージャの終了アドレス（ＨＤＶＭＧ＿ＥＡ）、ＨＤビデオマネージャ情報の終了アドレス（ＨＤＶＭＧＩ＿ＥＡ）、ＨＤ−ＤＶＤビデオ規格のバージョン番号（ＶＥＲＮ）、ＨＤビデオマネージャカテゴリ（ＨＤＶＭＧ＿ＣＡＴ）、ボリュームセット識別子（ＶＬＭＳ＿ＩＤ）、アダプテーション識別子（ＡＤＰ＿ＩＤ）、ＨＤビデオタイトルセットの数（ＨＤＶＴＳ＿Ｎｓ）、プロバイダ独自の識別子（ＰＶＲ＿ＩＤ）、ＰＯＳコード（ＰＯＳ＿ＣＤ）、ＨＤビデオマネージャ情報・管理テーブルの終了アドレス（ＨＤＶＭＧＩ＿ＭＡＴ＿ＥＡ）、ファーストプレイプログラムチェーン情報の先頭アドレス（ＦＰ＿ＰＧＣＩ＿ＳＡ）、ＨＤＶＭＧＭ＿ＶＯＢＳの先頭アドレス（ＨＤＶＭＧＭ＿ＶＯＢＳ＿ＳＡ）、ＴＴ＿ＳＲＰＴの先頭アドレス（ＴＴ＿ＳＲＰＴ＿ＳＡ）、ＨＤＶＭＧＭ＿ＰＧＣＩ＿ＵＴの先頭アドレス（ＨＤＶＭＧＭ＿ＰＧＣＩ＿ＵＴ＿ＳＡ）、ＰＴＬ＿ＭＡＩＴの先頭アドレス（ＰＴＬ＿ＭＡＩＴ＿ＳＡ）、ＨＤＶＴＳ＿ＡＴＲＴの先頭アドレス（ＨＤＶＴＳ＿ＡＴＲＴ＿ＳＡ）、ＴＸＴＤＴ＿ＭＧの先頭アドレス（ＴＸＴＤＴ＿ＭＧ＿ＳＡ）、ＨＤＶＭＧＭ＿Ｃ＿ＡＤＴの先頭アドレス（ＨＤＶＭＧＭ＿Ｃ＿ＡＤＴ＿ＳＡ）、ＨＤＶＭＧＭ＿ＶＯＢＵ＿ＡＤＭＡＰの先頭アドレス（ＨＤＶＭＧＭ＿ＶＯＢＵ＿ＡＤＭＡＰ＿ＳＡ）、ＨＤＶＭＧＭのビデオ属性（ＨＤＶＭＧＭ＿Ｖ＿ＡＴＲ）、ＨＤＶＭＧＭのオーディオストリーム数（ＨＤＶＭＧＭ＿ＡＳＴ＿Ｎｓ）、ＨＤＶＭＧＭのオーディオストリーム属性（ＨＤＶＭＧＭ＿ＡＳＴ＿ＡＴＲ）、ＨＤＶＭＧＭのサブピクチャストリーム数（ＨＤＶＭＧＭ＿ＳＰＳＴ＿Ｎｓ）、ＨＤＶＭＧＭのサブピクチャストリーム属性（ＨＤＶＭＧＭ＿ＳＰＳＴ＿ＡＴＲ）の各種情報が記録されている。
【０１５９】
図３に示したタイトルサーチポインタテーブル（ＴＴ＿ＳＲＰＴ）３１１内のデータ構造を図５に示す。タイトルサーチポインタテーブル（ＴＴ＿ＳＲＰＴ）３１１はタイトルサーチポインタテーブル情報（ＴＴ＿ＳＲＰＴＩ）３１１ａとタイトルサーチポインタ（ＴＴ＿ＳＲＰ）情報３１１ｂから構成されている。タイトルサーチポインタテーブル（ＴＴ＿ＳＲＰＴ）３１１内のタイトルサーチポインタ（ＴＴ＿ＳＲＰ）情報３１１ｂはＨＤのＤＶＤビデオコンテンツ内に含まれるタイトル数に応じて複数個を任意数だけ設定できる。タイトルサーチポインタテーブル情報（ＴＴ＿ＳＲＰＴＩ）３１１ａはタイトルサーチポインタテーブル（ＴＴ＿ＳＲＰＴ）３１１の共通管理情報が記録され、このタイトルサーチポインタテーブル（ＴＴ＿ＳＲＰＴ）３１１内に含まれるタイトルサーチポインタの数（ＴＴ＿ＳＲＰ＿Ｎｓ）情報と、ＨＤビデオマネージャ情報領域（ＨＤＶＭＧＩ）のファイル（図２のＨＤ＿ＶＭＧ００．ＨＤＩ）内でのこのタイトルサーチポインタテーブル（ＴＴ＿ＳＲＰＴ）３１１の終了アドレス（ＴＴ＿ＳＲＰＴ＿ＥＡ）情報が記録される。
【０１６０】
また１個のタイトルサーチポインタ（ＴＴ＿ＳＲＰ）情報３１１ｂ内にはこのサーチポインタが示すタイトルに関するタイトルプレイバックタイプ（ＴＴ＿ＰＢ＿ＴＹ）、アングル数（ＡＧＬ＿Ｎｓ）、Ｐａｒｔ＿ｏｆ＿Ｔｉｔｌｅ（ＰＴＴ）の数（ＰＴＴ＿Ｎｓ）、タイトル用Ｐａｒｅｎｔａｌ＿ＩＤ＿Ｆｉｅｌｄ（ＴＴ＿ＰＴＬ＿ＩＤ＿ＦＬＤ）情報、ＨＤＶＴＳ番号（ＨＤＶＴＳＮ）、ＨＤＶＴＳタイトル番号（ＨＤＶＴＳ＿ＴＴＮ）、本ＨＤＶＴＳの先頭アドレス（ＨＤＶＴＳ＿ＳＡ）の各種情報が記録される。
【０１６１】
次に、図３に示したＨＤビデオマネージャメニュー・ＰＧＣＩ・ユニットテーブル（ＨＤＶＭＧＭ＿ＰＧＣＩ＿ＵＴ）３１２内のデータ構造を図６に示す。ＨＤビデオマネージャメニュー・ＰＧＣＩ・ユニットテーブル（ＨＤＶＭＧＭ＿ＰＧＣＩ＿ＵＴ）３１２内はＨＤビデオマネージャメニュー・ＰＧＣＩ・ユニットテーブル（ＨＤＶＭＧＭ＿ＰＧＣＩ＿ＵＴ）３１２内の共通管理情報が記録されているＨＤビデオマネージャメニュー・プログラムチェーン情報ユニットテーブル情報（ＨＤＶＭＧＭ＿ＰＧＣＩ＿ＵＴＩ）３１２ａとメニューを表示するメニュー記述言語コード毎にまとめられ、メニュー情報に関する管理情報が記録されたＨＤビデオマネージャメニュー・言語ユニット（ＨＤＶＭＧＭ＿ＬＵ）３１２ｃが記録されている。ＨＤのＤＶＤビデオコンテンツでサポートするメニュー記述言語コードの数だけＨＤビデオマネージャメニュー・言語ユニット（ＨＤＶＭＧＭ＿ＬＵ）３１２ｃの情報を持つ。また、ＨＤビデオマネージャメニュー・ＰＧＣＩ・ユニットテーブル（ＨＤＶＭＧＭ＿ＰＧＣＩ＿ＵＴ）３１２内では各メニュー記述言語コード毎のＨＤビデオマネージャメニュー・言語ユニット（ＨＤＶＭＧＭ＿ＬＵ）３１２ｃへのアクセスを容易にするため、各ＨＤビデオマネージャメニュー・言語ユニット（ＨＤＶＭＧＭ＿ＬＵ）３１２ｃの先頭アドレス情報を持つＨＤビデオマネージャメニュー・言語ユニットサーチポインタ（ＨＤＶＭＧＭ＿ＬＵ＿ＳＲＰ）の情報３１２ｂを各ＨＤビデオマネージャ言語ユニット（ＨＤＶＭＧＭ＿ＬＵ）３１２ｃの数だけ持っている。
【０１６２】
ＨＤビデオマネージャメニュー・ＰＧＣＩ・ユニットテーブル（ＨＤＶＭＧＭ＿ＰＧＣＩ＿ＵＴ）３１２内にはＨＤビデオマネージャメニュー・言語ユニットの数（ＨＤＶＭＧＭ＿ＬＵ＿Ｎｓ）情報とＨＤビデオマネージャ情報領域（ＨＤＶＭＧＩ）のファイル（図２のＨＤ＿ＶＭＧ００．ＨＤＩ）内でのこのＨＤビデオマネージャメニュー・ＰＧＣＩ・ユニットテーブル（ＨＤＶＭＧＭ＿ＰＧＣＩ＿ＵＴ）３１２の終了アドレス（ＨＤＶＭＧＭ＿ＰＧＣＩ＿ＵＴ＿ＥＡ）情報を持つ。
【０１６３】
また、ＨＤビデオマネージャメニュー・言語ユニットサーチポインタ（ＨＤＶＭＧＭ＿ＬＵ＿ＳＲＰ）の情報３１２ｂ内には、上述したようにＨＤビデオマネージャ情報領域（ＨＤＶＭＧＩ）のファイル（図２のＨＤ＿ＶＭＧ００．ＨＤＩ）内でのＨＤビデオマネージャメニュー・ＰＧＣＩ・ユニットテーブル（ＨＤＶＭＧＭ＿ＰＧＣＩ＿ＵＴ）３１２の開始位置から対応するＨＤビデオマネージャメニュー・言語ユニット（ＨＤＶＭＧＭ＿ＬＵ）３１２ｃの先頭位置までの差分アドレス情報（ＨＤＶＭＧＭ＿ＵＴ＿ＳＡ）を持つだけでなく、対応するＨＤビデオマネージャメニュー・言語ユニット（ＨＤＶＭＧＭ＿ＬＵ）３１２ｃのメニュー記述言語コードを示すＨＤビデオマネージャメニュー言語コード（ＨＤＶＭＧＭ＿ＬＣＤ）の情報と、対応するＨＤビデオマネージャメニュー・言語ユニット（ＨＤＶＭＧＭ＿ＬＵ）３１２ｃがユーザに表示するメニュー画面をＶＯＢとして持つか否かを示すＨＤビデオマネージャメニューの有無（ＨＤＶＭＧＭ＿ＥＸＳＴ）情報も有している。
【０１６４】
図３に示したＨＤビデオマネージャメニューＰＧＣＩ（ＨＤＶＭＧＭ＿ＰＧＣＩ＿ＵＴ）３１２内に記録されるＨＤビデオマネージャメニュー・言語ユニット＃ｎ（ＨＤＶＭＧＭ＿ＬＵ  ＃ｎ）３１２ｃ（図６）内の詳細なデータ構造を図７に示す。
【０１６５】
ＨＤビデオマネージャメニュー・言語ユニット（ＨＤＶＭＧＭ＿ＬＵ）３１２ｃ内は、ＨＤビデオマネージャメニュー・言語ユニット（ＨＤＶＭＧＭ＿ＬＵ）３１２ｃ内のメニューに関する共通の管理情報が記録されたＨＤビデオマネージャメー言語ユニット情報（ＨＤＶＭＧＭ＿ＬＵＩ）３１２ｃ１と、図７に示した構造を有するＨＤビデオマネージャメニュー・プログラムチェーン情報（ＨＤＶＭＧＭ＿ＰＧＣＩ）３１２ｃ３と、ＨＤビデオマネージャ情報領域（ＨＤＶＭＧＩ）のファイル（図２のＨＤ＿ＶＭＧ００．ＨＤＩ）内でのＨＤビデオマネージャメニュー・言語ユニット（ＨＤＶＭＧＭ＿ＬＵ）３１２ｃ先頭位置から各ＨＤビデオマネージャメニュー・プログラムチェーン情報（ＨＤＶＭＧＭ＿ＰＧＣＩ）３１２ｃ３の先頭位置までの差分アドレスを示すＨＤＶＭＧＭ＿ＰＧＣＩサーチポインタ（ＨＤＶＭＧＭ＿ＰＧＣＩ＿ＳＲＰ  ＃１）の情報３１２ｃ２の各情報を持つ。
【０１６６】
ＨＤビデオマネージャメニュー・言語ユニット＃ｎ（ＨＤＶＭＧＭ＿ＬＵ  ＃ｎ）３１２ｃ内の最初の領域（グループ）に配置されるＨＤビデオマネージャメー言語ユニット情報（ＨＤＶＭＧＭ＿ＬＵＩ）３１２ｃ１内はＨＤＶＭＧＭ＿ＰＧＣＩ＿ＳＲＰの数（ＨＤＶＭＧＭ＿ＰＧＣＩ＿ＳＲＰ＿Ｎｓ）に関する情報とＨＤＶＭＧＭ＿ＬＵの終了アドレス（ＨＤＶＭＧＭ＿ＬＵ＿ＥＡ）情報を有し、ＨＤＶＭＧＭ＿ＰＧＣＩサーチポインタ（ＨＤＶＭＧＭ＿ＰＧＣＩ＿ＳＲＰ  ＃１）の情報３１２ｃ２はＨＤＶＭＧＭ＿ＰＧＣＩの先頭アドレス（ＨＤＶＭＧＭ＿ＰＧＣＩ＿ＳＡ）情報とＨＤＶＭＧＭ＿ＰＧＣカテゴリ（ＨＤＶＭＧＭ＿ＰＧＣ＿ＣＡＴ）情報を持つ。
【０１６７】
ＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ２内のＨＤＶＭＧＭ＿ＰＧＣカテゴリ情報（ＨＤＶＭＧＭ＿ＰＧＣ＿ＣＡＴ）内に本発明におけるＨＤコンテンツのメニューを画面表示した時に同時に再生する音声情報の選択情報と、音声情報再生の開始・終了トリガー情報を示す音声情報選択フラグ（音声情報選択）が記録される。本発明におけるＨＤコンテンツのメニューを画面表示した時に同時に再生する音声データとして、
（１）図１の（ｅ）に示したメニュー用ビデオオブジェクト領域（ＨＤＶＭＧＭ＿ＶＯＢＳ）３２内に記録されたオーディオデータ（図示してないがオーディオパック内に分散記録されている）、
（２）図１の（ｅ）に示したメニュー用オーディオオブジェクト領域（ＨＤＭＥＭＵ＿ＡＯＢＳ）３３内に存在し、図１９に示すように１個以上のメニュー用ＡＯＢ（ＨＤＭＥＮＵ＿ＡＯＢ）が順番に並んで配置されたオーディオデータ、
のいずれかを選択できる。
【０１６８】
ここで音声情報選択フラグ（音声情報選択）の“００ｂ”を選択した時には、（１）のオーディオデータが再生され、メニューの切り替わり時に音声再生が途切れる。また、音声情報選択フラグ（音声情報選択）の“１０ｂ”または“１１ｂ”を選択した時には、（２）に示したメニュー用オーディオオブジェクト領域（ＨＤＭＥＭＵ＿ＡＯＢＳ）３３内に存在するメニュー用ＡＯＢ（ＨＤＭＥＮＵ＿ＡＯＢ）のオーディオデータが再生される。（２）に示したオーディオデータを再生する場合には“１１ｂ”を指定した場合にはメニュー画面の変更毎にオーディオデータが最初から再生を開始し、“１０ｂ”を指定した場合にはメニュー画面の切り替えに関わらず連続してオーディオデータの再生が続けられる。本発明実施形態では図１９に示すようにメニュー用オーディオオブジェクト領域（ＨＤＭＥＮＵ＿ＡＯＢＳ）３３内に複数種類のメニュー用ＡＯＢ（ＨＤＭＥＮＵ＿ＡＯＢ）を格納しておける。図８に示した音声情報番号は該当するメニュー表示用ＰＧＣを表示する時に同時に再生するメニュー用ＡＯＢ（ＨＤＭＥＮＵ＿ＡＯＢ）の選択情報を示している。メニュー用ＡＯＢの選択情報として図１９に配置されているメニュー用ＡＯＢの中で“上から何番目のＡＯＢを選択するか”の番号情報で選択する。
【０１６９】
図８に示すように、ＨＤＶＭＧＭ＿ＰＧＣカテゴリ（ＨＤＶＭＧＭ＿ＰＧＣ＿ＣＡＴ）情報内には、エントリーＰＧＣか否かを判別するエントリータイプ情報、メニューの識別を表す（例えばタイトルのメニューか等）メニューＩＤ情報、ブロックモード情報、ブロックタイプ情報、ＰＴＬ＿ＩＤ＿ＦＬＤ情報が記録されている。
【０１７０】
図３に示したパレンタルマネジメント（管理）情報テーブル（ＰＴＬ＿ＭＡＩＴ）３１３内のデータ構造を図９に示す。パレンタル管理情報テーブル情報（ＰＴＬ＿ＭＡＩＴＩ）３１３ａ内には国の数（ＣＴＹ＿Ｎｓ）、ＨＤＶＴＳの数（ＨＤＶＴＳ＿Ｎｓ）、ＰＴＬ＿ＭＡＩＴの終了アドレス（ＰＴＬ＿ＭＡＩＴ＿ＥＡ）のそれぞれの情報が記録され、パレンタル管理情報サーチポインタ（ＰＴＬ＿ＭＡＩ＿ＳＲＰ）３１３ｂは国コード（ＣＴＹ＿ＣＤ）とＰＴＬ＿ＭＡＩの先頭アドレス（ＰＴＬ＿ＭＡＩ＿ＳＡ）の情報を持つ。
【０１７１】
また、図９に示したパレンタル管理情報（ＰＴＬ＿ＭＡＩ）３１３ｃ内のデータ構造は図１０に示すようにパレンタルレベル情報（ＰＴＬ＿ＬＶＬＩ）３１３ｃ１を有し、パレンタルレベル情報（ＰＴＬ＿ＬＶＬＩ）３１３ｃ１内にはＨＤＶＭＧ用Ｐａｒｅｎｔａｌ＿ＩＤ＿Ｆｉｅｌｄ（ＰＴＬ＿ＩＤ＿ＦＬＤ＿ＨＤＶＭＧ）３１３ｃ１１とＨＤＶＴＳ用Ｐａｒｅｎｔａｌ＿ＩＤ＿Ｆｉｅｌｄ（ＰＴＬ＿ＩＤ＿ＦＬＤ＿ＨＤＶＴＳ）３１３ｃ１２の情報を有し、更にＨＤＶＴＳ用Ｐａｒｅｎｔａｌ＿ＩＤ＿Ｆｉｅｌｄ（ＰＴＬ＿ＩＤ＿ＦＬＤ＿ＨＤＶＴＳ）３１３ｃ１２の情報内にはＰＧＣ選択用Ｐａｒｅｎｔａｌ＿ＩＤ＿Ｆｉｅｌｄ（ＰＴＬ＿ＩＤ＿ＦＬＤ）が存在する。
【０１７２】
図３に示したＨＤビデオタイトルセット属性情報テーブル（ＨＤＶＴＳ＿ＡＴＲＴ）３１４の中は図１１に示すように、
・ＨＤＶＴＳの数（ＨＤＶＴＳ＿Ｎｓ）とＨＤＶＴＳ＿ＡＴＲＴの終了アドレス（ＨＤＶＴＳ＿ＡＴＲＴ＿ＥＡ）の情報を持つＨＤビデオタイトルセット属性テーブル情報（ＨＤＶＴＳ＿ＡＴＲＴＩ）３１４ａ、
・ＨＤＶＴＳ＿ＡＴＲの先頭アドレス（ＨＤＶＴＳ＿ＡＴＲ＿ＳＡ）の情報が記録されたＨＤＶＴＳ用ビデオタイトルセット属性サーチポインタ（ＨＤＶＴＳ＿ＡＴＲ＿ＳＲＰ）３１４ｂ、
・ＨＤＶＴＳ＿ＡＴＲの終了アドレス（ＨＤＶＴＳ＿ＡＴＲＴ＿ＥＡ）とＨＤビデオタイトルセットのカテゴリ（ＨＤＶＴＳ＿ＣＡＴ）とＨＤビデオタイトルセットの属性情報（ＨＤＶＴＳ＿ＡＴＲＩ）の各情報を有するＨＤＶＴＳ用ビデオタイトルセット属性（ＨＤＶＴＳ＿ＡＴＲ）３１４ｃと、
から構成される。
【０１７３】
図３に示したテキストデータマネージャ（ＴＸＴＤＴ＿ＭＧ）３１５の中は図１２に示すように、
・テキストデータ識別子（ＴＸＴＤＴ＿ＩＤ）とＴＸＴＤＴ＿ＬＵの数（ＴＸＴＤＴ＿ＬＵ＿Ｎｓ）とテキストデータマネージャの終了アドレス（ＴＸＴＤＴ＿ＭＧ＿ＥＡ）の各情報を有するテキストデータマネージャ情報（ＴＸＴＤＴ＿ＭＧＩ）３１５ａ、
・テキストデータ言語コード（ＴＸＴＤＴ＿ＬＣＤ）とキャラクタセット（ＣＨＲＳ）とＴＸＴＤＴ＿ＬＵの先頭アドレス（ＴＸＴＤＴ＿ＬＵ＿ＳＡ）の各種情報が記録されたテキストデータ言語ユニットサーチポインタ（ＴＸＴＤＴ＿ＬＵ＿ＳＲＰ）３１５ｂ、
・テキストデータ言語ユニット（ＴＸＴＤＴ＿ＬＵ）３１５ｃと、
から構成される。
【０１７４】
更に、テキストデータ言語ユニット（ＴＸＴＤＴ＿ＬＵ）３１５ｃの内部は図１３に示すように、
・ＴＸＴＤＴ＿ＬＵの終了アドレス（ＴＸＴＤＴ＿ＬＵ＿ＥＡ）情報が記録されたテキストデータ言語ユニット情報（ＴＸＴＤＴ＿ＬＵＩ）３１５ｃ１、
・ボリューム用ＩＴ＿ＴＸＴ＿ＳＲＰの先頭アドレス（ＩＴ＿ＴＸＴ＿ＳＲＰ＿ＳＡ＿ＶＬＭ）情報が記録されたボリューム用アイテムテキストサーチポインタサーチポインタ（ＩＴ＿ＴＸＴ＿ＳＲＰ＿ＳＲＰ＿ＶＬＭ）３１５ｃ２、
・タイトル用ＩＴ＿ＴＸＴ＿ＳＲＰの先頭アドレス（ＩＴ＿ＴＸＴ＿ＳＲＰ＿ＳＡ＿ＴＴ）の情報を保有したタイトル用アイテムテキストサーチポインタサーチポインタ（ＩＴ＿ＴＸＴ＿ＳＲＰ＿ＳＲＰ＿ＴＴ）３１５ｃ３、
・テキストデータ（ＴＸＴＤＴ）３１５ｃ４、
の各種情報を持つ。また、テキストデータ（ＴＸＴＤＴ）３１５ｃ４の内部は図１４に示すように、
・ＩＴ＿ＴＸＴ＿ＳＲＰの数（ＩＴ＿ＴＸＴ＿ＳＲＰ＿Ｎｓ）の情報を有するテキストデータ情報（ＴＸＴＤＴＩ）３１５ｃ４１、
・アイテムテキスト識別子コード（ＩＴ＿ＴＸＴ＿ＩＤＣＤ）とＩＴ＿ＴＸＴの先頭アドレス（ＩＴ＿ＴＸＴ＿ＳＡ）の情報が記録されたアイテムテキストサーチポインタ（ＩＴ＿ＴＸＴ＿ＳＲＰ）３１５ｃ４２、
・アイテムテキスト（ＩＴ＿ＴＸＴ）３１５ｃ４３
の各種情報が記録されている。
【０１７５】
図３に示したＨＤビデオマネージャメニューセルアドレステーブル（ＨＤＶＭＧＭ＿Ｃ＿ＡＤＴ）３１６の中は図１５に示すように、
・ＨＤＶＭＧＭ＿ＶＯＢＳ内のＶＯＢの数（ＨＤＶＭＧＭ＿ＶＯＢ＿Ｎｓ）とＨＤＶＭＧＭ＿Ｃ＿ＡＤＴの終了アドレス（ＨＤＶＭＧＭ＿Ｃ＿ＡＤＴ＿ＥＡ）の各情報を持つＨＤビデオマネージャメニューセルアドレステーブル情報（ＨＤＶＭＧＭ＿Ｃ＿ＡＤＴＩ）３１６ａ、
・ＨＤＶＭＧＭ＿ＣＰのＶＯＢ＿ＩＤ番号（ＨＤＶＭＧＭ＿ＶＯＢ＿ＩＤＮ）、ＨＤＶＭＧＭ＿ＣＰのＣｅｌｌ＿ＩＤ番号（ＨＤＶＭＧＭ＿Ｃ＿ＩＤＮ）、ＨＤＶＭＧＭ＿ＣＰの先頭アドレス（ＨＤＶＭＧＭ＿ＣＰ＿ＳＡ）、ＨＤＶＭＧＭ＿ＣＰの終了アドレス（ＨＤＶＭＧＭ＿ＣＰ＿ＥＡ）の各情報が記録されたＨＤビデオマネージャメニューセルピース情報（ＨＤＶＭＧＭ＿ＣＰＩ）３１６ｂ、
の各種情報が記録されている。
【０１７６】
図３に示したＨＤビデオマネージャメニュービデオオブジェクトユニットアドレスマップ（ＨＤＶＭＧＭ＿ＶＯＢＵ＿ＡＤＭＡＰ）３１７の中は図１６に示すように、
・ＨＤＶＭＧＭ＿ＶＯＢＵ＿ＡＤＭＡＰの終了アドレス（ＨＤＶＭＧＭ＿ＶＯＢＵ＿ＡＤＭＡＰ＿ＥＡ）の情報を有するＨＤビデオマネージャメニュービデオオブジェクトユニットアドレスマップ情報（ＨＤＶＭＧＭ＿ＶＯＢＵ＿ＡＤＭＡＰＩ）３１７ａ、
・ＨＤＶＭＧＭ＿ＶＯＢＵの先頭アドレス（ＨＤＶＭＧＭ＿ＶＯＢＵ＿ＳＡ）
の各種情報が記録されている。
【０１７７】
図１７はメニュー用ＡＯＢ（ＨＤＭＥＮＵ＿ＡＯＢ）自体に対する管理情報内容を示し、図１の（ｅ）に示したＨＤビデオマネージャ情報領域（ＨＤＶＭＧＩ）３１内に存在する図３に示したＨＤメニュー・オーディオオブジェクトセット情報テーブル（ＨＤＭＥＮＵ＿ＡＯＢＳＩＴ）３１８の内部データ構造を示している。ＨＤメニュー・オーディオオブジェクトセット情報テーブル（ＨＤＭＥＮＵ＿ＡＯＢＳＩＴ）３１８の最初に配置されているＨＤメニュー・オーディオオブジェクトセット情報テーブル情報（ＨＤＭＥＮＵ＿ＡＯＢＳＩＴＩ）３１８ａ内にはＨＤＭＥＮＵ＿ＡＯＢＳ内のＡＯＢ数情報であるＨＤＭＥＮＵ＿ＡＯＢ＿Ｎｓと、ＨＤＭＥＮＵ＿ＡＯＢＳＩＴの終了アドレス情報（ＨＤＭＥＮＵ＿ＡＯＢＳＩＴ＿ＥＡ）が存在する。本発明実施形態では情報記憶媒体内にメニュー用のオーディオオブジェクト（オーディオデータ）を複数種類記録が可能になっている。
【０１７８】
図１７のＨＤメニュー・オーディオオブジェクト情報（ＨＤＭＥＮＵ＿ＡＯＢＩ）３１８ｂは上記個々のメニュー用のオーディオオブジェクト（オーディオデータ）に対する管理情報を示し、それぞれＨＤＭＥＮＵ＿ＡＯＢの再生情報（ＨＤＭＥＮＵ＿ＡＯＢ＿ＰＢＩ）、ＨＤＭＥＮＵ＿ＡＯＢの属性情報（ＨＤＭＥＮＵ＿ＡＯＢ＿ＡＴＲ）、ＨＤＭＥＮＵ＿ＡＯＢ  ＃ｎ（該当するＨＤＭＥＮＵ＿ＡＯＢ）の先頭アドレス情報（ＨＤＭＥＮＵ＿ＡＯＢ＿ＳＡ）、ＨＤＭＥＮＵ＿ＡＯＢ  ＃ｎ（該当するＨＤＭＥＮＵ＿ＡＯＢ）の終了アドレス情報（ＨＤＭＥＮＵ＿ＡＯＢ＿ＥＡ）から構成される。
【０１７９】
図２のＨＤ＿ＶＭＧ０１．ＨＤＶファイル内にまとめて格納された図１の（ｅ）に示すメニュー用ビデオオブジェクト領域（ＨＤＶＭＧＭ＿ＶＯＢＳ）３２内のデータ構造は図１８に示すように同一のメニュー画面がそれぞれ異なるメニュー記述言語コードで記録されたメニュー画面（ビデオオブジェクト）が並んで配置されている。
【０１８０】
本発明実施形態では情報記憶媒体内にメニュー用のオーディオオブジェクト（オーディオデータ）を複数種類記録が可能になっている。メニュー用のオーディオオブジェクト（ＡＯＢ）の記録場所は上述したように図１に示すようにＨＤビデオマネージャ記録領域（ＨＤＶＭＧＩ）３０内のメニュー用オーディオオブジェクト領域（ＨＤＭＥＮＵ＿ＡＯＢＳ）３３内であり、このメニュー用オーディオオブジェクト領域（ＨＤＭＥＮＵ＿ＡＯＢＳ）３３は図２に示すようにＨＤ＿ＭＥＮＵ０．ＨＤＡと言うファイル名の１ファイルを構成している。それぞれのメニュー用のオーディオオブジェクト（ＡＯＢ）はＨＤ＿ＭＥＮＵ０．ＨＤＡと言うファイル名の１ファイルを構成しているメニュー用オーディオオブジェクト領域（ＨＤＭＥＮＵ＿ＡＯＢＳ）３３内に図１９に示すように順番に配置記録されている。
【０１８１】
図２に示したＶＴＳ００１００．ＩＦＯファイル内にまとめて記録され、図１の（ｆ）に示したＨＤビデオタイトルセット情報領域（ＨＤＶＴＳＩ）４１の内部は図２０に示すようにＨＤビデオタイトルセット情報管理テーブル（ＨＤＶＴＳＩ＿ＭＡＴ）４１０、ＨＤビデオタイトルセットＰＴＴサーチポインタテーブル（ＨＤＶＴＳ＿ＰＴＴ＿ＳＲＰＴ）４１１、ＨＤビデオタイトルセット・プログラムチェーン情報テーブル（ＨＤＶＴＳ＿ＰＧＣＩＴ）４１２、ＨＤビデオタイトルセットメニュー・ＰＧＣＩ・ユニットテーブル（ＨＤＶＴＳＭ＿ＰＧＣＩ＿ＵＴ）４１３、ＨＤビデオタイトルセット・タイムマップテーブル（ＨＤＶＴＳ＿ＴＭＡＰＴ）４１４、ＨＤビデオタイトルセットメニュー・セル・アドレステーブル（ＨＤＶＴＳＭ＿Ｃ＿ＡＤＴ）４１５、ＨＤビデオタイトルセットメニュー・ビデオオブジェクトユニット・アドレスマップ（ＨＤＶＴＳＭ＿ＶＯＢＵ＿ＡＤＭＡＰ）４１６、ＨＤビデオタイトルセット・セル・アドレステーブル（ＨＤＶＴＳ＿Ｃ＿ＡＤＴ）４１７、ＨＤビデオタイトルセット・ビデオオブジェクトユニット・アドレスマップ（ＨＤＶＴＳ＿ＶＯＢＵ＿ＡＤＭＡＰ）４１８の各領域（管理情報グループ）に分かれている。
【０１８２】
ＨＤビデオタイトルセット情報管理テーブル（ＨＤＶＴＳＩ＿ＭＡＴ）４１０には該当するビデオタイトルセットに共通する管理情報が記録されている。この共通する管理情報をＨＤビデオタイトルセット情報領域（ＨＤＶＴＳＩ）４１の中で最初の領域（管理情報グループ）に配置することで即座にビデオタイトルセット内の共通管理情報を読み込めるので、情報再生装置の再生制御処理の簡素化と制御処理時間の短縮化が図れる。
【０１８３】
ＨＤＶＴＳ（本発明のＨＤビデオタイトルセット）内に含まれるグラフィックユニットに関する管理情報は図１の（ｆ）に示したＨＤビデオタイトルセット情報領域（ＨＤＶＴＳＩ）４１内の最初の領域（グループ）内に配置されたＨＤビデオタイトルセット情報管理テーブル（ＨＤＶＴＳＩ＿ＭＡＴ）４１０（図２０参照）内に記録されている。ＨＤビデオタイトルセット情報管理テーブル（ＨＤＶＴＳＩ＿ＭＡＴ）４１０の具体的な管理情報内容は図２１に示すようにグラフィックユニットストリーム数情報と属性情報がＨＤＶＴＳ内のメニュー画面とタイトル（表示映像）に分かれてそれぞれＨＤＶＴＳＭのグラフィックユニットストリーム数情報（ＨＤＶＴＳＭ＿ＧＵＳＴ＿Ｎｓ）、ＨＤＶＴＳＭのグラフィックユニットストリーム属性情報（ＨＤＶＴＳＭ＿ＧＵＳＴ＿ＡＴＲ）、ＨＤＶＴＳのグラフィックユニットストリーム数情報（ＨＤＶＴＳ＿ＧＵＳＴ＿Ｎｓ）、ＨＤＶＴＳのグラフィックユニットストリーム属性テーブル情報（ＨＤＶＴＳ＿ＧＵＳＴ＿ＡＴＲＴ）として記録されている。
【０１８４】
また、ＨＤビデオタイトルセット情報管理テーブル（ＨＤＶＴＳＩ＿ＭＡＴ）４１０内には図２１に示すようにビデオタイトルセット内の共通管理情報の他にＨＤビデオタイトルセット識別子（ＨＤＶＴＳ＿ＩＤ）、ＨＤＶＴＳの終了アドレス（ＨＤＶＴＳ＿ＥＡ）、ＨＤＶＴＳＩの終了アドレス（ＨＤＶＴＳＩ＿ＥＡ）、ＨＤ−ＤＶＤビデオ規格のバージョン番号（ＶＥＲＮ）、ＨＤＶＴＳカテゴリ（ＨＤＶＴＳ＿ＣＡＴ）、ＨＤＶＴＳＩ＿ＭＡＴの終了アドレス（ＨＤＶＴＳＩ＿ＭＡＴ＿ＥＡ）、ＨＤＶＴＳＭ＿ＶＯＢＳの先頭アドレス（ＨＤＶＴＳＭ＿ＶＯＢＳ＿ＳＡ）、ＨＤＶＴＳＴＴ＿ＶＯＢＳの先頭アドレス（ＨＤＶＴＳＴＴ＿ＶＯＢＳ＿ＳＡ）、ＨＤＶＴＳ＿ＰＴＴ＿ＳＲＰＴの先頭アドレス（ＨＤＶＴＳ＿ＰＴＴ＿ＳＲＰＴ＿ＳＡ）、ＨＤＶＴＳ＿ＰＧＣＩＴの先頭アドレス（ＨＤＶＴＳ＿ＰＧＣＩＴ＿ＳＡ）、ＨＤＶＴＳＭ＿ＰＧＣＩ＿ＵＴの先頭アドレス（ＨＤＶＴＳＭ＿ＰＧＣＩ＿ＵＴ＿ＳＡ）、ＨＤＶＴＳ＿ＴＭＡＰの先頭アドレス（ＨＤＶＴＳ＿ＴＭＡＰ＿ＳＡ）、ＨＤＶＴＳＭ＿Ｃ＿ＡＤＴの先頭アドレス（ＨＤＶＴＳＭ＿Ｃ＿ＡＤＴ＿ＳＡ）、ＨＤＶＴＳＭ＿ＶＯＢＵ＿ＡＤＭＡＰの先頭アドレス（ＨＤＶＴＳＭ＿ＶＯＢＵ＿ＡＤＭＡＰ＿ＳＡ）、ＨＤＶＴＳ＿Ｃ＿ＡＤＴの先頭アドレス（ＨＤＶＴＳ＿Ｃ＿ＡＤＴ＿ＳＡ）、ＨＤＶＴＳ＿ＶＯＢＵ＿ＡＤＭＡＰの先頭アドレス（ＨＤＶＴＳ＿ＶＯＢＵ＿ＡＤＭＡＰ＿ＳＡ）、ＨＤＶＴＳＭのビデオ属性（ＨＤＶＴＳＭ＿Ｖ＿ＡＴＲ）、ＨＤＶＴＳＭのオーディオストリーム数（ＨＤＶＴＳＭ＿ＡＳＴ＿Ｎｓ）、ＨＤＶＴＳＭのオーディオストリーム属性（ＨＤＶＴＳＭ＿ＡＳＴ＿ＡＴＲ）、ＨＤＶＴＳＭのサブピクチャストリーム数の先頭アドレス（ＨＤＶＴＳＭ＿ＳＰＳＴ＿Ｎｓ）、ＨＤＶＴＳＭのサブピクチャストリーム属性（ＨＤＶＴＳＭ＿ＳＰＳＴ＿ＡＴＲ）、ＨＤＶＴＳのビデオ属性（ＨＤＶＴＳ＿Ｖ＿ＡＴＲ）、ＨＤＶＴＳのオーディオストリーム数（ＨＤＶＴＳ＿ＡＳＴ＿Ｎｓ）、ＨＤＶＴＳのオーディオストリーム属性テーブル（ＨＤＶＴＳ＿ＡＳＴ＿ＡＴＲＴ）、ＨＤＶＴＳのサブピクチャストリーム数（ＨＤＶＴＳ＿ＳＰＳＴ＿Ｎｓ）、ＨＤＶＴＳのサブピクチャストリーム属性テーブル（ＨＤＶＴＳ＿ＳＰＳＴ＿ＡＴＲＴ）、ＨＤＶＴＳのマルチチャネルオーディオストリーム属性テーブル（ＨＤＶＴＳ＿ＭＵ＿ＡＳＴ＿ＡＴＲＴ）の各種情報が記録されている。
【０１８５】
図２０に示したＨＤビデオタイトルセットＰＴＴサーチポインタテーブル（ＨＤＶＴＳ＿ＰＰＴ＿ＳＲＰＴ）４１１の中のデータ構造を図２２に示す。ＨＤビデオタイトルセットＰＴＴサーチポインタテーブル（ＨＤＶＴＳ＿ＰＰＴ＿ＳＲＰＴ）４１１は
・ＨＤＶＴＳのＴＴＵの数（ＨＤＶＴＳ＿ＴＴＵ＿Ｎｓ）とＨＤＶＴＳ＿ＰＴＴ＿ＳＲＰＴの終了アドレス（ＨＤＶＴＳ＿ＰＴＴ＿ＳＲＰＴ＿ＥＡ）の情報を有するＰＴＴサーチポインタテーブル情報（ＰＴＴ＿ＳＲＰＴＩ）４１１ａ、
・ＴＴＵの先頭アドレス（ＴＴＵ＿ＳＡ）の情報が記録されたタイトルユニット・サーチポインタ（ＴＴＵ＿ＳＲＰ）４１１ｂ、
・プログラムチェーン番号（ＰＧＣＮ）とプログラム番号（ＰＧＮ）の情報を持ったＰＴＴサーチポインタ（ＰＴＴ＿ＳＲＰ）４１１ｃ、
の各種情報から構成されている。
【０１８６】
リジューム情報を管理する情報の配置場所について本発明の第１の実施形態では図２３、図２４に示すようにＨＤＶＴＳ＿ＰＧＣＩサーチポインタ４１２内のＨＤＶＴＳ＿ＰＧＣカテゴリ内にＲＳＭ許可フラグ（リジューム情報の更新許可フラグ）を持たせている。ＨＤＶＴＳ＿ＰＧＣＩサーチポインタ４１２の情報は図１の（ｆ）に示したＨＤビデオタイトルセット情報領域（ＨＤＶＴＳＩ）４１の中に存在する図２０に示したＨＤビデオタイトルセット・プログラムチェーン情報テーブル（ＨＤＶＴＳ＿ＰＧＣＩＴ）４１２の中に配置されている。ＨＤビデオタイトルセット・プログラムチェーン情報テーブル（ＨＤＶＴＳ＿ＰＧＣＩＴ）４１２の中は図２３に示すように他にＨＤＶＴＳ＿ＰＧＣＩ＿ＳＲＰの数（ＨＤＶＴＳ＿ＰＧＣＩ＿ＳＲＰ＿Ｎｓ）とＨＤＶＴＳ＿ＰＧＣＩＴの終了アドレス（ＨＤＶＴＳ＿ＰＧＣＩＴ＿ＥＡ）の情報が含まれるＨＤビデオタイトルセットＰＧＣＩ情報テーブル（ＨＤＶＴＳ＿ＰＧＣＩＴＩ）４１２ａの情報が記録されている。また、上述したＨＤＶＴＳ＿ＰＧＣカテゴリ（ＨＤＶＴＳ＿ＰＧＣ＿ＣＡＴ）と共にＨＤＶＴＳ＿ＰＧＣＩサーチポインタ（ＨＤＶＴＳ＿ＰＧＣＩ＿ＳＲＰ）４１２ｂ内にはＨＤＶＴＳ＿ＰＧＣＩの先頭アドレス（ＨＤＶＴＳ＿ＰＧＣＩ＿ＳＡ）の情報も記録されている。
【０１８７】
図２４に示すＲＳＭ許可フラグ（リジューム情報の更新許可フラグ）とは該当するＨＤＶＴＳ＿ＰＧＣの再生を開始した段階でレジューム情報の内容を更新するか（該当するＰＧＣの再生状況に合わせてレジューム情報を逐次更新して行くか）否かの指定をする。すなわちフラグが
“０ｂ”の場合はレジューム情報の更新を行い、
“１ｂ”の場合はレジューム情報の更新を行わず、その前に再生したＨＤＶＴＳ＿ＰＧＣ（本発明のＨＤビデオタイトルセット内の対応したプログラムチェーン）の再生中断した情報を保持しておく
と言う処理を行う。また、ＨＤＶＴＳ＿ＰＧＣカテゴリ（ＨＤＶＴＳ＿ＰＧＣ＿ＣＡＴ）の中には他にもエントリーＰＧＣか否かを判別するエントリータイプ情報、対応するＰＧＣが示すＶＴＳ（ビデオタイトルセット）内のタイトル番号情報、ブロックモード情報、ブロックタイプ情報、ＰＴＬ＿ＩＤ＿ＦＬＤ情報が記録されている。
【０１８８】
図２０に示したＨＤビデオタイトルセットメニュー・ＰＧＣＩ・ユニットテーブル（ＨＤＶＴＳＭ＿ＰＧＣＩ＿ＵＴ）４１３の中のデータ構造を図２５に示す。ＨＤビデオタイトルセットメニュー・ＰＧＣＩ・ユニットテーブル（ＨＤＶＴＳＭ＿ＰＧＣＩ＿ＵＴ）４１３の内部は
・ＨＤビデオタイトルセットメニュー・言語ユニットの数（ＨＤＶＴＳＭ＿ＬＵ＿Ｎｓ）とＨＤＶＴＳＭ＿ＰＧＣＩ＿ＵＴの終了アドレス（ＨＤＶＴＳＭ＿ＰＧＣＩ＿ＵＴ＿ＥＡ）の各情報を有したＨＤビデオタイトルセットメニュー・プログラムチェーン情報ユニットテーブル情報（ＨＤＶＴＳＭ＿ＰＧＣＩ＿ＵＴＩ）４１３ａ、
・ＨＤビデオタイトルセットメニュー言語コード（ＨＤＶＴＳＭ＿ＬＣＤ）とＨＤビデオタイトルセットメニューの有無（ＨＤＶＴＳＭ＿ＥＸＳＴ）とＨＤＶＴＳＭ＿ＬＵの先頭アドレス（ＨＤＶＴＳＭ＿ＵＴ＿ＳＡ）の各情報が記録されたＨＤビデオタイトルセットメニュー・言語ユニットサーチポインタ（ＨＤＶＴＳＭ＿ＬＵ＿ＳＲＰ）４１３ｂ、
・ＨＤビデオタイトルセットメニュー・言語ユニット（ＨＤＶＴＳＭ＿ＬＵ）４１３ｃ
の各種情報から構成されている。
【０１８９】
また、ＨＤビデオタイトルセットメニュー・言語ユニット（ＨＤＶＴＳＭ＿ＬＵ）４１３ｃ内のデータ構造は図２６に示すように、
・ＨＤＶＴＳＭ＿ＰＧＣＩ＿ＳＲＰの数（ＨＤＶＴＳＭ＿ＰＧＣＩ＿ＳＲＰ＿Ｎｓ）とＨＤＶＴＳＭ＿ＬＵの終了アドレス（ＨＤＶＴＳＭ＿ＬＵ＿ＥＡ）の情報を有するＨＤビデオタイトルセットメニュー・言語ユニット情報（ＨＤＶＴＳＭ＿ＬＵＩ）４１３ｃ１、
・図３３、図３４と全く同じデータ構造を持ったＨＤビデオタイトルセットメニュー・プログラムチェーン情報（ＨＤＶＴＳＭ＿ＰＧＣＩ）４１３ｃ３、
・ＨＤＶＴＳＭ＿ＰＧＣカテゴリ（ＨＤＶＴＳＭ＿ＰＧＣ＿ＣＡＴ）とＨＤＶＴＳＭ＿ＰＧＣＩの先頭アドレス（ＨＤＶＴＳＭ＿ＰＧＣＩ＿ＳＡ）の情報が記録されたＨＤＶＴＳＭ＿ＰＧＣＩサーチポインタ（ＨＤＶＴＳＭ＿ＰＧＣＩ＿ＳＲＰ）４１３ｃ２、
から構成される。
【０１９０】
メニュー用ＡＯＢ（ＨＤＭＥＮＵ＿ＡＯＢ）を参照（指定）する情報の設定場所として本発明の第１の実施形態ではＨＤＶＴＳ単位でのメニューに関しては、図２６に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に配置する。図２７に示すＨＤＶＴＳＭ＿ＰＧＣカテゴリ情報（ＨＤＶＴＳＭ＿ＰＧＣ＿ＣＡＴ）内の音声情報番号はＨＤＭＥＭＵ＿ＡＯＢＳの中の再生するＡＯＢ番号＃ｎ（図１９で並んでいるメニュー用ＡＯＢ（ＨＤＭＥＮＵ＿ＡＯＢ）の内、何番目のＡＯＢが対応するか）を指定する音声情報番号（ＡＯＢ番号）を意味し、音声情報選択は本発明におけるＨＤコンテンツのメニューを画面表示した時に同時に再生する音声情報の選択情報と、音声情報再生の開始・終了トリガー情報を示す音声情報選択フラグ（音声情報選択）を意味している。
【０１９１】
ここで、音声情報選択フラグ（音声情報選択）の“００ｂ”を選択した時には、各メニュー用ビデオオブジェクト内に記録されているオーディオデータが再生され、メニューの切り替わり時に音声再生が途切れる。また、音声情報選択フラグ（音声情報選択）の“１０ｂ”または“１１ｂ”を選択した時には、メニュー用オーディオオブジェクト領域（ＨＤＭＥＭＵ＿ＡＯＢＳ）３３内に存在するメニュー用ＡＯＢ（ＨＤＭＥＮＵ＿ＡＯＢ）のオーディオデータが再生される。メニュー用オーディオデータ（ＡＯＢ）を再生する場合、“１１ｂ”を指定した時にはメニュー画面の変更毎にオーディオデータが最初から再生を開始し、“１０ｂ”を指定した時にはメニュー画面の切り替えに関わらず連続してオーディオデータの再生が続けられる。本発明実施形態では、図１９に示すように、メニュー用オーディオオブジェクト領域（ＨＤＭＥＮＵ＿ＡＯＢＳ）３３内に複数種類のメニュー用ＡＯＢ（ＨＤＭＥＮＵ＿ＡＯＢ）を格納しておける。図２７に示した音声情報番号は該当するメニュー表示用ＰＧＣを表示する時に同時に再生するメニュー用ＡＯＢ（ＨＤＭＥＮＵ＿ＡＯＢ）の選択情報を示している。メニュー用ＡＯＢの選択情報として図１９に配置されているメニュー用ＡＯＢの中で“上から何番目のＡＯＢを選択するか”の番号情報で選択する。また、ＨＤＶＴＳＭ＿ＰＧＣカテゴリ（ＨＤＶＴＳＭ＿ＰＧＣ＿ＣＡＴ）内には他にもエントリーＰＧＣか否かを判別するエントリータイプ情報、メニューの識別を表す（例えばタイトルのメニューか等）メニューＩＤ情報、ブロックモード情報、ブロックタイプ情報、ＰＴＬ＿ＩＤ＿ＦＬＤ情報が記録されている。
【０１９２】
図２０に示したＨＤビデオタイトルセット・タイムマップテーブル（ＨＤＶＴＳ＿ＴＭＡＰＴ）４１４中のデータ構造を図２８に示す。ＨＤビデオタイトルセット・タイムマップテーブル（ＨＤＶＴＳ＿ＴＭＡＰＴ）４１４の内部は
・ＨＤＶＴＳ＿ＴＭＡＰの数（ＨＤＶＴＳ＿ＴＭＡＰ＿Ｎｓ）とＨＤＶＴＳ＿ＴＭＡＰＴの終了アドレス（ＨＤＶＴＳ＿ＴＭＡＰＴ＿ＥＡ）の各種の情報が記載されたＨＤビデオタイトルセット・タイムマップテーブル情報（ＨＤＶＴＳ＿ＴＭＡＰＴＩ）４１４ａ、
・ＨＤＶＴＳ＿ＴＭＡＰの先頭アドレス（ＨＤＶＴＳ＿ＴＭＡＰ＿ＳＡ）の情報を有するＨＤビデオタイトルセット・タイムマップ・サーチポインタ（ＨＤＶＴＳ＿ＴＭＡＰ＿ＳＲＰ）４１４ｂ、
・マップエントリで基準とするタイムユニット（秒）の長さ（ＴＭＵ）とマップエントリ数（ＭＡＰ＿ＥＮ＿Ｎｓ）とマップエントリ（ＭＡＰ＿ＥＮ）の各種情報が記録されたＨＤビデオタイトルセット・タイムマップ（ＨＤＶＴＳ＿ＴＭＡＰ）４１４ｃ、
の各種情報から構成されている。
【０１９３】
上記ＨＤマップエントリ（ＨＤＭＡＰ＿ＥＮ）内は該当するＨＤＭＡＰ＿ＥＮＡと次のＨＤＭＡＰ＿ＥＮＡが同一セル内に存在するか否かの判定フラグを示す“不連続フラグ”と、該当するＨＤマップエントリ（ＨＤＭＡＰ＿ＥＮ）に対応する再生時間が含まれるＶＯＢＵの先頭アドレス情報（ＨＤＭＡＰ＿ＥＮＡ）から構成されている。
【０１９４】
また、図２０に示したＨＤビデオタイトルセットメニュー・セル・アドレステーブル（ＨＤＶＴＳＭ＿Ｃ＿ＡＤＴ）４１５の中のデータ構造は図２９に示すように、
・ＨＤＶＴＳＭ＿ＶＯＢＳ内のＶＯＢの数（ＨＤＶＴＳＭ＿ＶＯＢ＿Ｎｓ）とＨＤＶＴＳＭ＿Ｃ＿ＡＤＴの終了アドレス（ＨＤＶＴＳＭ＿Ｃ＿ＡＤＴ＿ＥＡ）の情報を有するＨＤビデオタイトルセットメニュー・セル・アドレステーブル情報（ＨＤＶＴＳＭ＿Ｃ＿ＡＤＴＩ）４１５ａ、
・ＨＤＶＴＳＭ＿ＣＰのＶＯＢ＿ＩＤ番号（ＨＤＶＴＳＭ＿ＶＯＢ＿ＩＤＮ）とＨＤＶＴＳＭ＿ＣＰのＣｅｌｌ＿ＩＤ番号（ＨＤＶＴＳＭ＿Ｃ＿ＩＤＮ）とＨＤＶＴＳＭ＿ＣＰの先頭アドレス（ＨＤＶＴＳＭ＿ＣＰ＿ＳＡ）とＨＤＶＴＳＭ＿ＣＰの終了アドレス（ＨＤＶＴＳＭ＿ＣＰ＿ＥＡ）の各種情報が記録されたＨＤビデオタイトルセットメニュー・セルピース情報（ＨＤＶＴＳＭ＿ＣＰＩ）４１５ｂ、
の各種情報から構成されている。
【０１９５】
図２０に示したＨＤビデオタイトルセットメニュー・ビデオオブジェクトユニット・アドレスマップ（ＨＤＶＴＳＭ＿ＶＯＢＵ＿ＡＤＭＡＰ）４１６は図３０のように
・ＨＤＶＴＳＭ＿ＶＯＢＵ＿ＡＤＭＡＰの終了アドレス（ＨＤＶＴＳＭ＿ＶＯＢＵ＿ＡＤＭＡＰ＿ＥＡ）の情報が記載されたＨＤビデオタイトルセットメニュー・ビデオオブジェクトユニット・アドレスマップ情報（ＨＤＶＴＳＭ＿ＶＯＢＵ＿ＡＤＭＡＰＩ）４１６ａ、
・ＨＤＶＴＳＭ＿ＶＯＢＵの先頭アドレス（ＨＤＶＴＳＭ＿ＶＯＢＵ＿ＳＡ）の情報を有するＨＤビデオタイトルセットメニュー・ビデオオブジェクトユニット・アドレス（ＨＤＶＴＳＭ＿ＶＯＢＵ＿ＡＤ）４１６ｂ、
の情報から構成されている。
【０１９６】
また、図２０に示したＨＤビデオタイトルセット・セル・アドレステーブル（ＨＤＶＴＳ＿Ｃ＿ＡＤＴ）４１７の中のデータ構造を図３１に示す。ＨＤビデオタイトルセット・セル・アドレステーブル（ＨＤＶＴＳ＿Ｃ＿ＡＤＴ）４１７内は、
・ＨＤＶＴＳ＿ＶＯＢＳ内のＶＯＢの数（ＨＤＶＴＳ＿ＶＯＢ＿Ｎｓ）とＨＤＶＴＳ＿Ｃ＿ＡＤＴの終了アドレス（ＨＤＶＴＳ＿Ｃ＿ＡＤＴ＿ＥＡ）の情報を有したＨＤビデオタイトルセット・セル・アドレステーブル情報（ＨＤＶＴＳ＿Ｃ＿ＡＤＴＩ）４１７ａ、
・ＨＤＶＴＳ＿ＣＰのＶＯＢ＿ＩＤ番号（ＨＤＶＴＳ＿ＶＯＢ＿ＩＤＮ）とＨＤＶＴＳ＿ＣＰのＣｅｌｌ＿ＩＤ番号（ＨＤＶＴＳ＿Ｃ＿ＩＤＮ）とＨＤＶＴＳ＿ＣＰの先頭アドレス（ＨＤＶＴＳ＿ＣＰ＿ＳＡ）とＨＤＶＴＳ＿ＣＰの終了アドレス（ＨＤＶＴＳ＿ＣＰ＿ＥＡ）の各種情報から成るＨＤビデオタイトルセット・セルピース情報（ＨＤＶＴＳ＿ＣＰＩ）４１７ｂ、
の各種情報から構成されている。
【０１９７】
更に、図２０に示したＨＤビデオタイトルセット・ビデオオブジェクトユニット・アドレスマップ（ＨＤＶＴＳ＿ＶＯＢＵ＿ＡＤＭＡＰ）４１８の中のデータ構造を図３２に示す。ＨＤビデオタイトルセット・ビデオオブジェクトユニット・アドレスマップ（ＨＤＶＴＳ＿ＶＯＢＵ＿ＡＤＭＡＰ）４１８は、
・ＨＤＶＴＳ＿ＶＯＢＵ＿ＡＤＭＡＰの終了アドレス（ＨＤＶＴＳ＿ＶＯＢＵ＿ＡＤＭＡＰ＿ＥＡ）の情報を有するＨＤビデオタイトルセット・ビデオオブジェクトユニット・アドレスマップ情報（ＨＤＶＴＳ＿ＶＯＢＵ＿ＡＤＭＡＰＩ）４１８ａ、
・ＨＤＶＴＳ＿ＶＯＢＵ単位の先頭アドレス（ＨＤＶＴＳ＿ＶＯＢＵ＿ＳＡ）の情報が記録されているＨＤビデオタイトルセット・ビデオオブジェクトユニット・アドレス（ＨＤＶＴＳ＿ＶＯＢＵ＿ＡＤ）４１８ｂ、
の各種情報から構成されている。
【０１９８】
特徴（Ａ）を実現するＲＳＭ許可フラグフラグ情報と特徴（Ｆ）を実現する音声情報選択フラグ／音声情報番号は本発明の第１の実施形態として図２２と図７、図２４に示すようにプログラムチェーン情報ＰＧＣＩのサーチポインタ情報内に持たせている。本発明はこの実施形態に限らずＰＧＣＩ自体の中に持たせることも可能である。本発明の他の実施形態（第２の実施形態）を図３３、図３４に示す。図３３、図３４に示したＰＧＣＩ情報とは
〔イ〕図１の（ｅ）のＨＤビデオマネージャ情報領域（ＨＤＶＭＧＩ）３１内のＨＤビデオマネージャメニュー・ＰＧＣＩ・ユニットテーブル（ＨＤＶＭＧＭ＿ＰＧＣＩ＿ＵＴ）３１２（図３）に存在する図６のＨＤビデオマネージャメニュー・言語ユニット（ＨＤＶＭＧＭ＿ＬＵ）３１２に関し、図７に示されたＨＤビデオマネージャメニュー・プログラムチェーン情報（ＨＤＶＭＧＭ＿ＰＧＣＩ）３１２ｃ３、
〔ロ〕図１の（ｆ）のＨＤビデオタイトルセット情報領域（ＨＤＶＴＳＩ）４１内のデータ構造を示した図２０におけるＨＤビデオタイトルセットメニュー・ＰＧＣＩ・ユニットテーブル（ＨＤＶＴＳＭ＿ＰＧＣＩ＿ＵＴ）４１３内の図２５におけるＨＤビデオタイトルセットメニュー・言語ユニット（ＨＤＶＴＳＭ＿ＬＵ）４１３ｃの中に配置されている図２６に示したＨＤビデオタイトルセットメニュー・プログラムチェーン情報（ＨＤＶＴＳＭ＿ＰＧＣＩ）４１３ｃ３、
〔ハ〕図１の（ｆ）のＨＤビデオタイトルセット情報領域（ＨＤＶＴＳＩ）４１内のデータ構造を示した図２０におけるＨＤビデオタイトルセット・プログラムチェーン情報テーブル（ＨＤＶＴＳ＿ＰＧＣＩＴ）４１２内のＨＤＶＴＳ＿ＰＧＣＩ  ４１２ｃ（図２３）
がそれぞれ対応する（図３３、図３４に示したＰＧＣＩ情報は〔イ〕〜〔ハ〕の３箇所に配置され得る）。
【０１９９】
図３３、図３４に示すようにプログラムチェーン情報（ＰＧＣＩ）はプログラムチェーン・一般情報（ＰＧＣ＿ＧＩ）５０、プログラムチェーン・コマンドテーブル（ＰＧＣ＿ＣＭＤＴ）５１、プログラムチェーン・プログラムマップ（ＰＧＣ＿ＰＧＭＡＰ）５２、セル・再生情報テーブル（Ｃ＿ＰＢＩＴ）５３、セル・位置情報テーブル（Ｃ＿ＰＯＳＩＴ）５４と言う５領域（５個の管理情報グループ）から構成されている。
【０２００】
図３３、図３４に示すようにＰＧＣＩ内の最初の領域（管理情報グループ）に配置されたプログラムチェーン・一般情報（ＰＧＣ＿ＧＩ）５０内の最後にＲＳＭ＆ＡＯＢ・カテゴリ情報（ＲＳＭ＆ＡＯＢ＿ＣＡＴ）が記録されている。ＲＳＭ＆ＡＯＢ・カテゴリ情報（ＲＳＭ＆ＡＯＢ＿ＣＡＴ）内にＲＳＭ許可フラグ情報、音声情報選択フラグ、音声情報番号が存在する。このＲＳＭ許可フラグ情報は図２４で説明した内容とまったく同じ内容を意味している。また、音声情報選択フラグと音声情報番号の内容は図８または図２７で説明した内容と一致している。更にＲＳＭ＆ＡＯＢ・カテゴリ情報（ＲＳＭ＆ＡＯＢ＿ＣＡＴ）内にはエントリーＰＧＣか否かを判別するエントリータイプ情報、ブロックモード情報、ブロックタイプ情報、ＰＴＬ＿ＩＤ＿ＦＬＤ情報が記録されている。
【０２０１】
ＰＧＣ内に配置するグラフィックユニットのストリームに関する制御情報が記録されるＰＧＣ・グラフィックユニットストリーム・制御テーブル（ＰＧＣ＿ＧＵＳＴ＿ＣＴＬＴ）内の情報は図３３、図３４に示すように４種類の各画像（１６：９のＨＤ画像、１６：９のＳＤ画像、４：３のＳＤ画像、レターボックスのＳＤ画像）に対応してそれぞれ別領域であるＨＤ用グラフィックユニットストリーム＃０のＰＧＣ＿ＧＵＳＴ＿ＣＴＬ（ＰＧＣ＿ＧＵＳＴ  ＃０）領域、ＳＤワイド用グラフィックユニットストリーム＃１のＰＧＣ＿ＧＵＳＴ＿ＣＴＬ（ＰＧＣ＿ＧＵＳＴ  ＃１）領域、４：３（ＳＤ）用グラフィックユニットストリーム＃２の  ＰＧＣ＿ＧＵＳＴ＿ＣＴＬ（ＰＧＣ＿ＧＵＳＴ  ＃２）領域、レターボックス（ＳＤ）用グラフィックユニットストリーム＃３の  ＰＧＣ＿ＧＵＳＴ＿ＣＴＬ（ＰＧＣ＿ＧＵＳＴ  ＃３）領域に別々に記録する。
【０２０２】
上記の情報以外にもプログラムチェーン・一般情報（ＰＧＣ＿ＧＩ）５０内にはＰＧＣ内容（ＰＧＣ＿ＣＮＴ）、ＰＧＣ再生時間（ＰＧＣ＿ＰＢ＿ＴＭ）、ＰＧＣユーザ操作制御（ＰＧＣ＿ＵＯＰ＿ＣＴＬ）、ＰＧＣオーディオストリーム制御テーブル（ＰＧＣ＿ＡＳＴ＿ＣＴＬＴ）、ＰＧＣサブピクチャストリーム制御テーブル（ＰＧＣ＿ＳＰＳＴ＿ＣＴＬＴ）、ＰＧＣナビゲーションコントロール（ＰＧＣ＿ＮＶ＿ＣＴＬ）、ＰＧＣサブピクチャパレット（ＰＧＣ＿ＳＰ＿ＰＬＴ）、ＰＧＣ＿ＣＭＤＴの先頭アドレス（ＰＧＣ＿ＣＭＤＴ＿ＳＡ）、ＰＧＣ＿ＰＧＭＡＰの先頭アドレス（ＰＧＣ＿ＰＧＭＡＰ＿ＳＡ）、Ｃ＿ＰＢＩＴの先頭アドレス（Ｃ＿ＰＢＩＴ＿ＳＡ）、Ｃ＿ＰＯＳＩＴの先頭アドレス（Ｃ＿ＰＯＳＩＴ＿ＳＡ）の各種情報が記録されている。
【０２０３】
各ＰＧＣに適応されるコマンド情報は図３５に示すようにプログラムチェーン・コマンドテーブル（ＰＧＣ＿ＣＭＤＴ）５１にまとめて配置される。ＰＧＣＩ情報が配置される場所は図３３、図３４の説明場所で記載したように〔イ〕〜〔ハ〕の３箇所に配置され得る。特徴（Ａ）の中で説明した〔ポイント４〕に示したリジュームシーケンス情報は図３５に示すようにプログラムチェーン・コマンドテーブル（ＰＧＣ＿ＣＭＤＴ）５１内に記録される。本発明実施形態におけるリジュームシーケンス情報（図３５内で明記したリジューム（ＲＳＭ）コマンドシーケンス）の情報内容は、この領域内に配置されたＲＳＭコマンド（ＲＳＭ＿ＣＭＤ）５１４が順次並んで配置された形で記述される。図３５における一個の欄の中に記載される１個のＲＳＭコマンド（ＲＳＭ＿ＣＭＤ）５１４は本発明におけるＨＤのＤＶＤビデオコンテンツ内で指定できる１個のコマンドを意味し、リジューム（ＲＳＭ）コマンドシーケンス領域内で配置されたＲＳＭコマンド（ＲＳＭ＿ＣＭＤ）５１４が上から順に連続して（シーケンシャルに）実行される。
【０２０４】
本発明実施形態においては、図３５に記載されたセルコマンド（Ｃ＿ＣＭＤ）５１３の配列もシーケンシャルなコマンド系列を意味している。すなわち、図３５に示したセルコマンド（Ｃ＿ＣＭＤ）５１３の配列順に従って上から順次コマンド処理を実行することを意味している。図３６で説明するようにセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎にセルコマンド処理手順の一部（各セル毎にセルコマンドのシーケンシャル処理を開始する最初のセルコマンド番号とセルコマンドのシーケンシャル処理の実行範囲）を指定できる構造になっている。
【０２０５】
ＲＳＭコマンド（ＲＳＭ＿ＣＭＤ）５１４は（例えばメニュー画面から）該当するＰＧＣへ戻り、以前に再生中断した“ＰＧＣ内の途中から再生する直前”に実行されるコマンド手順の一部を示すのに対して、プリコマンド（ＰＲＥ＿ＣＭＤ）５１１は該当する“ＰＧＣを最初から再生する直前”に実行されるコマンドを意味する。また、該当するＰＧＣの再生後に実行するコマンドがポストコマンド（ＰＯＳＴ＿ＣＭＤ）５１２である。図３５において１個のプログラムチェーン・コマンドテーブル（ＰＧＣ＿ＣＭＤＴ）５１内に配置できるプリコマンド（ＰＲＥ＿ＣＭＤ）５１１の数とポストコマンド（ＰＯＳＴ＿ＣＭＤ）５１２の数、セルコマンド（Ｃ＿ＣＭＤ）５１３の数、ＲＳＭコマンド（ＲＳＭ＿ＣＭＤ）５１４の数はそれぞれ自由に設定できる（記載するどれかのコマンド数が“０”であっても良い）。ただし、本発明実施形態では１個のプログラムチェーン・コマンドテーブル（ＰＧＣ＿ＣＭＤＴ）５１内に配置できるプリコマンド（ＰＲＥ＿ＣＭＤ）５１１の数とポストコマンド（ＰＯＳＴ＿ＣＭＤ）５１２の数、セルコマンド（Ｃ＿ＣＭＤ）５１３の数、ＲＳＭコマンド（ＲＳＭ＿ＣＭＤ）５１４の数をそれぞれ足した総合計値の上限は１０２３個と規定されている。従って、例えばプリコマンド（ＰＲＥ＿ＣＭＤ）５１１の数とポストコマンド（ＰＯＳＴ＿ＣＭＤ）５１２の数、ＲＳＭコマンド（ＲＳＭ＿ＣＭＤ）５１４の数が全て０個の場合にはセルコマンド（Ｃ＿ＣＭＤ）５１３の数を最大１０２３個まで設定することが可能である。
【０２０６】
１個のプログラムチェーン・コマンドテーブル（ＰＧＣ＿ＣＭＤＴ）５１内に配置できるプリコマンド（ＰＲＥ＿ＣＭＤ）５１１の数情報であるＰＲＥ＿ＣＭＤ＿Ｎｓとポストコマンド（ＰＯＳＴ＿ＣＭＤ）５１２の数情報であるＰＯＳＴ＿ＣＭＤ＿Ｎｓとセルコマンド（Ｃ＿ＣＭＤ）５１３の数情報のＣ＿ＣＭＤ＿Ｎｓ、ＲＳＭコマンド（ＲＳＭ＿ＣＭＤ）５１４の数情報のＲＳＭ＿ＣＭＤ＿Ｎｓは図３６に示すようにプログラムチェーン・コマンドテーブル情報（ＰＧＣ＿ＣＭＤＴＩ）５１０内に記録されている。
【０２０７】
プログラムチェーン・コマンドテーブル（ＰＧＣ＿ＣＭＤＴ）５１内に記録されているＲＳＭコマンド（ＲＳＭ＿ＣＭＤ）５１４内の具体的なデータ構造について以下に説明する。ここでは、ＲＳＭコマンド（ＲＳＭ＿ＣＭＤ）５１４内の具体的なデータ構造について説明するが、プリコマンド（ＰＲＥ＿ＣＭＤ）５１１、ポストコマンド（ＰＯＳＴ＿ＣＭＤ）５１２、セルコマンド（Ｃ＿ＣＭＤ）５１３内のデータ構造もＲＳＭコマンド（ＲＳＭ＿ＣＭＤ）５１４内の具体的なデータ構造と全く同じになっている。ＲＳＭコマンド（ＲＳＭ＿ＣＭＤ）５１４内の具体的なデータ構造は図３６に示すように１個のコマンド毎に８バイト分の領域を割り当てているだけになっている。この８バイト分の領域内にコマンド内容が記録される。このコマンドはいずれも８バイト中最上位から３ビットまでが“コマンドＩＤ−１”のデータが入る。それ以降のビットのデータ内容は“コマンドタイプ”の値により異なるが、“比較用Ｉ−フラグ”や“Ｃｏｍｐａｒｅ  Ｆｉｅｌｄ”などの情報はコマンドタイプによらず共通に持っている。
【０２０８】
プログラムチェーン情報（ＰＧＣＩ：Ｐｒｏｇｒａｍ  Ｃｈａｉｎ  Ｉｎｆｏｒｍａｔｉｏｎ）内に配置されたプログラムチェーン・プログラムマップ（ＰＧＣ＿ＰＧＭＡＰ）５２とセル・位置情報テーブル（Ｃ＿ＰＯＳＩＴ）５４内の詳細構造を図３７に示す。
【０２０９】
プログラムチェーン・プログラムマップ（ＰＧＣ＿ＰＧＭＡＰ）５２内は各エントリに対応したセルの番号を示すエントリセル番号（ＥＮ＿ＣＮ）が記録されたプログラム用エントリセル番号５２０情報がエントリ数だけ配置されている。またセル・位置情報テーブル（Ｃ＿ＰＯＳＩＴ）５４はセルのＶＯＢ  ＩＤ番号（Ｃ＿ＶＯＢ＿ＩＤＮ）とセルのセル  ＩＤ番号（Ｃ＿ＩＤＮ）の情報が組になって構成されたセル位置情報（Ｃ＿ＰＯＳＩ）５４０が順に配置された構造をしている。
【０２１０】
図３５の説明の所でセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎にセルコマンド処理手順の一部（各セル毎にセルコマンドのシーケンシャル処理を開始する最初のセルコマンド番号とセルコマンドのシーケンシャル処理の実行範囲）を指定できる構造になっていると説明した。この各セル毎に設定できるセルコマンドのシーケンシャル処理の実行範囲情報を図３８に示す。ＰＧＣＩ情報が配置される場所は図３３、図３４の説明場所で記載したように〔イ〕〜〔ハ〕の３箇所に配置され得る。ＰＧＣを構成する個々のセルに関する管理情報が該当するＰＧＣの管理情報であるＰＧＣＩ内のセル・再生情報テーブル（Ｃ＿ＰＢＩＴ）５３内に図３８に示すようにセル再生情報（Ｃ＿ＰＢＩ）５３０に記録される。
【０２１１】
図３５に示されたセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎に特定されるセルコマンドのシーケンシャル処理を開始する最初のセルコマンド番号に関する情報が、図３８に示すようにセル再生情報（Ｃ＿ＰＢＩ）５３０内のセルコマンド開始番号情報（Ｃ＿ＣＭＤ＿ＳＮ）内に記録される。また、同時に、セルコマンド開始番号情報（Ｃ＿ＣＭＤ＿ＳＮ）で指定されたセルコマンド（Ｃ＿ＣＭＤ）５１３を含めて連続にコマンド処理を実行するコマンド数を表すセルコマンド連続数情報（Ｃ＿ＣＭＤ＿Ｃ＿Ｎｓ）がセル再生情報（Ｃ＿ＰＢＩ）５３０内に記録されており、両方の情報から該当するセルが実行するセルコマンドのシーケンシャル処理の実行範囲が特定される。本発明実施形態において該当するセルの再生が終了した後で図３８のセルコマンド開始番号情報（Ｃ＿ＣＭＤ＿ＳＮ）とセルコマンド連続数情報（Ｃ＿ＣＭＤ＿Ｃ＿Ｎｓ）で指定された範囲の一連のコマンド手順（コマンドシーケンス）が実行される。
【０２１２】
また、セル再生情報（Ｃ＿ＰＢＩ）５３０内には該当するセルがマルチアングルに対応したインターリーブドブロックを構成しているかそれとも一般的な連続ブロックの一部か、あるいはマルチアングルに対応したインターリーブドブロックの一部を構成していた場合にそのインターリーブドブロックの先頭セルあるいは最終セルに該当するかを示すセルカテゴリ（Ｃ＿ＣＡＴ）、該当するセル全体を再生する時に必要な再生時間を表すセル再生時間（Ｃ＿ＰＢＴＭ）、セルの先頭ＶＯＢＵの先頭アドレス位置情報（Ｃ＿ＦＶＯＢＵ＿ＳＡ）、セルの先頭ＩＬＶＵの終了アドレス位置情報（Ｃ＿ＦＩＬＶＵ＿ＥＡ）、セルの最終ＶＯＢＵの先頭アドレス位置情報（Ｃ＿ＬＶＯＢＵ＿ＳＡ）、セルの最終ＶＯＢＵの終了アドレス位置情報（Ｃ＿ＬＶＯＢＵ＿ＥＡ）などの情報が記録されている。
【０２１３】
図３９は本発明のグラフィックユニットＧＵがＭＰＥＧプログラムストリームとして格納される構造を示したものである。図３９の（ａ）に示す様に、ビデオオブジェクト（ＶＯＢ）ａ１は、図３９の（ｂ）に示す様に、複数のビデオオブジェクトユニット（ＶＯＢＵ）ａ２から構成され、１つのＶＯＢＵは、図３９の（ｃ）に示す様に、ナビパックａ３、ビデオパックａ４、グラフィックユニット（ＧＵ）パックａ５、オーディオパックａ６及び副映像（ＳＰ）パックａ７等の複数の異なるデータパックを有するＭＰＥＧプログラムストリームから構成される。また、図３９の（ｄ）に示す様に、ＧＵパックａ５は、５つの表示タイプ（ＨＤ、ＳＤワイド、４：３、レターボックス、パンスキャン）の違いにより、各々、ＨＤ用グラフィックユニットストリーム＃１（ａ５１）、ＳＤワイド用グラフィックユニットストリーム＃２（ａ５２）、４：３用グラフィックユニットストリーム＃３（ａ５３）、レターボックス用グラフィックユニットストリーム＃４（ａ５４）及びパンスキャン用グラフィックユニットストリーム＃５（ａ５５）のストリームとして格納される。これらのストリームは、主映像の表示タイプや出力先のディスプレイ装置に対する表示コンバートに対応して、適切な選択切替が行われ、ユーザが直接ストリームを切替えることはしない。
【０２１４】
図４０は、グラフィックユニットＧＵの各ストリームに割当てられるストリームＩＤ及びサブストリームＩＤを示したものである。各ストリームは、プライベートストリーム１（１０１１  １１０１ｂ）のストリームＩＤを有し、グラフィックユニットストリームであることの判別のために、（０１０１  ０ｘｘｘｂ）のサブストリームＩＤを有し、さらに、その表示タイプの判別用に、ＨＤ用（０１０１  ０００１ｂ）、ＳＤワイド用（０１０１  ００１０ｂ）、４：３用（０１０１  ００１１ｂ）、レターボックス用（０１０１  ０１００ｂ）及びパンスキャン用（０１０１  ０１０１ｂ）が定義される。
【０２１５】
図４１は、マスクデータを有するグラフィックユニットＧＵのデータ構造の一例を示す。同図に示す様に、複数のＧＵパックａ５のペイロードデータを繋ぎ合せ、１つのグラフィックユニットＧＵが構成される。図４１では、パックヘッダ、パディングパケット等の付加データは記述していない。グラフィックユニットＧＵは、大まかに、ヘッダ情報ｂ１、ハイライト情報（ＨＬＩ）ｂ２、後述する１つ以上のボタン情報ｂ２３に対応する１つ以上のマスクデータｂ３、グラフィックデータｂ４から構成される。ここでは、ハイライト情報（ＨＬＩ）ｂ２の詳細内容を記述する（残りは、後述）。ハイライト情報ｂ２は、一般情報ｂ２１、カラーパレット情報ｂ２２及び１つ以上のボタン情報ｂ２３から構成される。カラーパレット情報ｂ２２は、メニュー上のボタン色を与えるもので、ハイライトされないボタン色に指定される通常用カラーパレットｂ２２１、ユーザの矢印キー等の入力選択により、ハイライト選択されているボタン色に指定される選択用カラーパレットｂ２２２、さらにユーザがハイライト選択されたボタンを決定することで、選択色から確定色に指定される確定用カラーパレットｂ２２３を有する。また、ボタン情報ｂ２３は、ボタン形状を模るマスクデータの開始アドレスｂ２３１、マスクデータのサイズｂ２３２、ユーザ入力により、前後左右の隣接ボタンへのボタンを移動する情報として、隣接ボタン位置情報ｂ２３３及びボタンが確定された時に実行されるボタンコマンドｂ２３４を有する。このボタンコマンドには、１つ以上のコマンドを連続配置したコマンドシーケンスを構成でき、本発明では、最大８つまでのコマンドを配置できる構成としている。ボタンが確定された時に、１〜８までのコマンドを連続実行することで、設定、分岐などの複合的な処理が一度に実行可能となる。
【０２１６】
図４２は、図４１のマスクデータを有するグラフィックユニットのデータ構造の他の一例を示す。図４２に示す様に、ハイライト情報ｂ２が図４１と異なり、一般情報ｂ２１、カラーパレット情報ｂ２２、後述する１つ以上のボタン情報に対応するマスクデータサーチ情報ｂ２４及び１つ以上のボタン情報ｂ２３から構成される。カラーパレット情報ｂ２２は、メニュー上のボタン色を与えるもので、ハイライトされないボタン色に指定される通常用カラーパレットｂ２２１、ユーザの矢印キー等の入力選択により、ハイライト選択されているボタン色に指定される選択用カラーパレットｂ２２２、さらにユーザがハイライト選択されたボタンを決定することで、選択色から確定色に指定される確定用カラーパレットｂ２２３を有する。また、マスクデータサーチ情報ｂ２４には、マスクデータの開始アドレスｂ２４１及びマスクデータのサイズｂ２４２を有する。さらに、ボタン情報ｂ２３は、ユーザ入力により、前後左右の隣接ボタンへのボタンを移動する情報として、隣接ボタン位置情報ｂ２３３及びボタンが確定された時に実行されるボタンコマンドｂ２３４を有する。このボタンコマンドには、１つ以上のコマンドを連続配置したコマンドシーケンスを構成でき、本発明では、最大８つまでのコマンドを配置できる構成としている。ボタンが確定された時に、１〜８までのコマンドを連続実行することで、設定、分岐などの複合的な処理が一度に実行可能となる。
【０２１７】
図４３は、ヘッダ情報ｂ１及び一般情報ｂ２１の内容を示す。ヘッダ情報ｂ１には、グラフィックユニット全体の大きさを示すグラフィックユニットサイズ（ＧＵ＿ＳＺ）、グラフィックユニットに格納されるグラフィックデータ、マスクパターンの解像度（１９２０×１０８０、１４４０×１０８０、１２８０×７２０）、アスペクト比（１６：９、４：３）、表示タイプ（ＨＤ、ＳＤワイド、４：３、パンスキャン、レターボックス）などのグラフィックユニットの属性情報（ＧＵ＿ＡＴＲＩ）、ハイライト情報（ＨＬＩ）の開始アドレス（ＨＬＩ＿ＳＡ）及びグラフィックデータの開始アドレス（ＧＤ＿ＳＡ）を有する。
【０２１８】
また、一般情報ｂ２１には、グラフィックユニット（ＧＵ）パックａ５のヘッダに含まれるＰＴＳ（Ｐｒｅｓｅｎｔａｔｉｏｎ  Ｔｉｍｅ  Ｓｔａｍｐ）と同じ値を有するグラフィックユニットの再生開始時間（ＧＵ＿ＰＢ＿Ｓ＿ＰＴＭ）及びその再生終了時間であるグラフィックユニットの再生終了時間（ＧＵ＿ＰＢ＿Ｅ＿ＰＴＭ）を有し、このＰＴＳ情報又はグラフィックユニットの再生開始時間（ＧＵ＿ＰＢ＿Ｓ＿ＰＴＭ）と、上記グラフィックユニットの再生終了時間（ＧＵ＿ＰＢ＿Ｅ＿ＰＴＭ）情報を用いてグラフィックユニットの表示時間と（コマンドの）実行が可能な有効時間（両者の開始／終了時間は完全に一致している）を設定する。また開始／終了時間情報はＰＴＳ／ＰＴＭを使っているので、非常に精度高い時間範囲の設定が可能である。また、メニューが複数画面に跨る場合に、そのメニュー画面におけるボタンの開始番号を与えるボタンオフセット番号（ＢＴＮ＿ＯＦＮ）、メニュー画面内のボタン数（ＢＴＮ＿Ｎｓ）、数字入力により選択可能なボタン数を示す数字選択ボタンの数（ＮＳＬ＿ＢＴＮ＿Ｎｓ）、メニュー画面を表示した場合に、意図的に任意のボタン番号を選択状態にするための、強制選択ボタンの番号（ＦＯＳＬ＿ＢＴＮＮ）及びユーザが選択可能な時間帯を過ぎた場合に、強制的に決定されるボタン番号を示す強制決定ボタンの番号（ＦＯＡＣ＿ＢＴＮＮ）を有する。
【０２１９】
図４４は、グラフィックユニットに格納されるデータイメージを示している。右上には、マスクデータｂ３に格納されるイメージを示し、マスクデータは、１ビット／画素で構成されたマスク（ボタン）パターンである。各マスクデータは、メニュー画面上でのボタンに対応する。右下には、グラフィックデータに格納されるデータを示し、グラフィックデータは、８ビット／画素で構成された２５６色グラフィックパターンである。
【０２２０】
図４５は、マスクパターンを含むビデオ合成の一例を示す。図４５において、ビデオ合成出力（Ｄ）は、主映像（Ａ）、グラフィックパターン（Ｂ）およびマスクパターン（Ｃ）の３つのプレーンから構成され、それぞれ、主映像（Ａ）＋グラフィックパターン（Ｂ）＋マスクパターン（Ｃ）のデータを重ね合わせることでビデオ合成が為される。マスクプレーンでは、（１）〜（３）のボタンから選択されたボタンを重ね合わせる。図４５において、ビデオ合成出力（Ｄ）は、（１）のマスク（ボタン）パターンが選択された状態を示している。また、グラフィックパターン（Ｂ）とマスク（ボタン）パターン（Ｃ）のデータは、グラフィックユニットＧＵに格納される。
【０２２１】
図４６は、カラーパレット情報ｂ２２に格納されるカラー・コントラスト情報テーブルの一例を示す。左端は通常用カラーパレットｂ２２１、中央は選択用カラーパレットｂ２２２、右端は確定用カラーパレットｂ２２３の例を示し、“００ｈ”〜“ＦＦｈ”までの２５６のカラー・コントラストテーブルで構成され、Ｒ（Ｒｅｄ）、Ｇ（Ｇｒｅｅｎ）、Ｂ（Ｂｌｕｅ）各８ビットのカラーデータおよびコントラストデータ８ビットの計４バイトで表現される。図４６の例では、グラフィックデータの楕円形ボタン部分が“８０ｈ”、星型ボタン部分が“Ｃ７ｈ”及び背景部分が“ＦＦｈ”であり、“８０ｈ”のボタン画素部分は、通常用カラーパレットｂ２２１では、赤色（Ｒ：“ＦＦｈ”、Ｇ：“００ｈ”、Ｂ：“００ｈ”）、半透明（“８０ｈ”）、選択用カラーパレットｂ２２２では、青色（Ｒ：“００ｈ”、Ｇ：“００ｈ”、Ｂ：“ＦＦｈ”）、半透明（“８０ｈ”）、確定用カラーパレットｂ２２３では、緑色（Ｒ：“００ｈ”、Ｇ：“ＦＦｈ”、Ｂ：“００ｈ”）、半透明（“８０ｈ”）が割当てられ、それぞれ“ＦＦｈ”の背景画素部分は、白色（Ｒ：“ＦＦｈ”、Ｇ：“ＦＦｈ”、Ｂ：“ＦＦｈ”）、透明（“ＦＦｈ”）で構成される。
【０２２２】
図４６では、マスクパターンが重ね合わされた「ボタン部分」に当たる箇所が、選択用カラーパレットによって、赤色から青色に変化し、さらにユーザのボタン決定動作により、青色から緑色に変化する例を示したものである。これにより、メニュー画面上で、ユーザの選択動作によるボタンハイライトが実行され、ユーザに選択しているボタンを把握させ、ユーザの決定動作によるボタンハイライトが実行され、ユーザに確定したボタンを把握させることができる。
【０２２３】
図４７は、グラフィックユニットＧＵに格納される１ビット／画素のマスクデータｂ３のビット定義を示す。ビットの値が“１ｂ”の時は、グラフィックパターンで指定された選択（色、コントラスト）または、確定（色、コントラスト）を表示する。ビット値が“０ｂ”の時は、背景（主映像プレーンまたはグラフィックプレーンの通常（色、コントラスト）を表示）を透過する。
【０２２４】
図４８は、ディスク形状の情報記憶媒体１から、そこに格納されている情報を読み出して再生する情報再生装置（プレーヤ）を示している。すなわち、情報記憶媒体１はディスクドライブ部１０１に装着されている。ディスクドライブ部１０１は、装着された情報記憶媒体１を回転駆動し、光ピックアップ（図示せず）を用いて情報記憶媒体１に格納されている情報を読み取るものである。
【０２２５】
ディスクドライブ部１０１で読み取られた情報は、データプロセッサ部１０２に供給され、エラー訂正処理が施された後、データプロセッサ部１０２内のトラックバッファ（図示せず）に格納される。そして、このトラックバッファに格納された情報のうち、上記ＨＤビデオマネージャ情報領域３１、ＨＤビデオタイトルセット情報領域４１の管理情報は、メモリ部１２２に記録され、再生制御やデータ管理等に利用される。上記トラックバッファに格納された情報のうち、上記ビデオ・オブジェクト領域３２、４２、４３の情報は、分離部１０３に転送され、ビデオパックａ４、グラフィックユニットパックａ５、オーディオパックａ６及び副映像パックａ７毎に分離される。ビデオパックａ４の情報はビデオデコーダ部１１１、副映像パックａ７の情報は副映像デコーダ部１１２に、グラフィックユニットパックａ５の情報はグラフィックデコーダ部１１３に、オーディオパックａ６の情報はオーディオデコーダ部１１４にそれぞれ供給され、デコード処理が行なわれる。
【０２２６】
ビデオデコーダ部１１１でデコード処理された主映像情報と、副映像デコーダ部１１２でデコード処理された副映像情報と、グラフィックデコーダ部１１３でデコード処理されたグラフィック情報とは、ビデオプロセッサ部１０４に供給されて重畳処理が施された後、Ｄ／Ａ（ディジタル／アナログ）変換部１３２でアナログ化され、映像信号として図示しない映像表示装置（例えばＣＲＴ：Ｃａｔｈｏｄｅ  Ｒａｙ  Ｔｕｂｅ等）に出力される。オーディオデコーダ部１１４でデコード処理された音声情報は、Ｄ／Ａ変換部１３３でアナログ化され、音声信号として図示しない音声再生装置（例えばスピーカ等）に出力される。
【０２２７】
上記のような情報記憶媒体１に対する一連の再生動作は、ＭＰＵ（ＭｉｃｒｏＰｒｏｃｅｓｓｉｎｇ  Ｕｎｉｔ）部１２１によって統括的に制御されている。ＭＰＵ部１２１は、キー入力部１３１からの操作情報を受け、ＲＯＭ（Ｒｅａｄ  Ｏｎｌｙ  Ｍｅｍｏｒｙ）部１２３に格納されたプログラムに基づいて、各部を制御している。
【０２２８】
図４９、図５０、図５１は、図４８の分離部１０３以降のビデオ系デコーダブロックのモデル例Ａ、Ｂ及びＣを説明する図である。ビデオデコーダ部１１１は、ビデオ入力バッファ、ビデオデコーダ及びビデオデコーダバッファから構成され、ビデオデコーダでデコードされたビデオデータは、後段のビデオプロセッサ部１０４へ送られる。副映像デコーダ部１１２は、副映像ユニット入力バッファ、副映像デコーダ及び副映像デコーダバッファから構成され、副映像デコーダでデコードされた副映像データは、後段のビデオプロセッサ部１０４へ送られる。グラフィックデコーダ部１１３は、分離部１０３で分離されたグラフィックユニットパックａ５をバッファリングし、少なくとも１つのグラフィックユニットを格納可能なグラフィックユニット入力バッファ１１３ａ、入力バッファ１１３ａに格納されたグラフィックユニットのハイライト情報ｂ２及びマスクデータｂ３をデコードするハイライトデコーダ１１３ｂ及びそのハイライトバッファ１１３ｃ、入力バッファ１１３ａに格納されたグラフィックユニットのグラフィックデータｂ４をデコードするグラフィックデコーダ１１３ｅ及びそのグラフィックバッファ１１３ｆから構成され、さらにハイライトデコーダ１１３ｂでデコードされたボタンパターンは、後段のミキサー１１３ｄにより、グラフィックデコーダ１１３ｅでデコードされたグラフィックデータと混合され、パレット選択１１３ｇ、ハイライト処理１１３ｈが施された後、ビデオプロセッサ部１０４へ送られる。
【０２２９】
図４９はグラフィックデコーダを有するデコーダモデルＡの例を示す。デコーダモデルＡでは、上記で説明した各デコーダでデコードされたデータは、ビデオプロセッサ部１０４において、ミキサー１０４ａにより、ビデオデータ、副映像データ及びグラフィックデータが混合、重畳される。さらに、接続される表示装置が、スタンダードテレビ（ＳＤＴＶ）の時は、ダウンコンバータ１０４ｂによりダウンコンバート処理が施され、ビデオ出力される。
【０２３０】
図５０はグラフィックデコーダを有するデコーダモデルＢの例を示す。デコーダモデルＢでは、上記で説明した各デコーダでデコードされたデータは、ビデオプロセッサ部１０４において、先ず、第１のミキサー１０４ａにより、ビデオデータとグラフィックデータが混合、重畳される。その後、接続される表示装置が、スタンダードテレビ（ＳＤＴＶ）の時は、ダウンコンバータ１０４ｂによりダウンコンバート処理が施され、さらに接続される表示装置のアスペクト比が４：３の場合には、レターボックス（ＬＢ）／パンスキャン（ＰＳ）変換部１０４ｃにより、レターボックス又はパンスキャン変換処理が施され、その後、第２のミキサー１０４ｄで、表示タイプ（ＨＤ、ＳＤワイド、４：３、パンスキャン、レターボックス）に対応する副映像データと混合、重畳され、ビデオ出力される。
【０２３１】
図５１はグラフィックデコーダを有するデコーダモデルＣの例を示す。デコーダモデルＣでは、上記で説明した各デコーダでデコードされたデータは、ビデオプロセッサ部１０４において、先ず、接続される表示装置が、スタンダードテレビ（ＳＤＴＶ）の時は、ダウンコンバータ１０４ｂによりダウンコンバート処理が施され、さらに接続される表示装置のアスペクト比が４：３の場合には、レターボックス／パンスキャン変換部１０４ｃにより、レターボックス又はパンスキャン変換処理が施され、その後、後段のミキサー１０４ａで、表示タイプ（ＨＤ、ＳＤワイド、４：３、パンスキャン、レターボックス）に対応する副映像データ及びグラフィックデータが混合、重畳され、ビデオ出力される。
【０２３２】
図５２は図４１及び図４２で示したグラフィックユニットＧＵのデータ構造において、ボタン位置情報を有する別の一例を示す。図５２に示す様に、複数のＧＵパックａ５のペイロードデータを繋ぎ合せ、１つのグラフィックユニットＧＵが構成される。図では、パックヘッダ、パディングパケット等の付加データは記述していない。グラフィックユニットＧＵは、大まかに、ヘッダ情報ｂ１、ハイライト情報（ＨＬＩ）ｂ２及びグラフィックデータｂ４から構成され、マスクデータｂ３は持たない。ここでは、ハイライト情報（ＨＬＩ）ｂ２の詳細内容を記述する（ヘッダ情報ｂ１、一般情報ｂ２１は、図４１、図４２に同じ）。
【０２３３】
ハイライト情報ｂ２は、一般情報ｂ２１、カラーパレット情報ｂ２２及び１つ以上のボタン情報ｂ２３から構成される。カラーパレット情報ｂ２２は、メニュー上のボタン色を与えるもので、ハイライトされないボタン色に指定される複数の通常用カラーパレットｅ２２１、ユーザの矢印キー等の入力選択により、ハイライト選択されているボタン色に指定される複数の選択用カラーパレットｅ２２２、さらにユーザがハイライト選択されたボタンを決定することで、選択色から確定色に指定される複数の確定用カラーパレットｅ２２３を有する。
【０２３４】
ボタン情報ｅ２３は、上記複数の通常用、選択用及び確定用のカラーパレットの番号を夫々指定する使用カラーパレット情報ｅ２３１、メニュー画面上に、１つのボタン情報で複数の選択可能な位置（ホットスポット）を与えるボタンのホットスポット情報の数ｅ２３２、その数に対応したボタンの各ホットスポット情報ｅ２３３、ユーザ入力により、前後左右の隣接ボタンへのボタンを移動する情報として、隣接ボタン位置情報ｅ２３４及びボタンが確定された時に実行されるボタンコマンドｅ２３５を有する。このボタンコマンドには、１つ以上のコマンドを連続配置したコマンドシーケンスを構成でき、本発明では、最大８つまでのコマンドを配置できる構成としている。ボタンが確定された時に、１〜８までのコマンドを連続実行することで、設定、分岐などの複合的な処理が一度に実行可能となる。
【０２３５】
図５３は、図５２で示したボタン位置情報を有するグラフィックユニットを含むビデオ合成の一例を示す。図５３において、ビデオ合成出力（Ｃ）は、主映像（Ａ）、グラフィックパターン（Ｂ）の２つのプレーン及び各ボタンのボタン位置情報ｅ２３３（メニュー画面上で、１つのボタン情報に対して、ユーザがポイント可能な複数のホットスポットを指定可能、実行されるボタンコマンド同じ）から構成され、それぞれ、主映像（Ａ）＋グラフィックパターン（Ｂ）＋（１）〜（３）のボタン位置情報を重ね合わせることでビデオ合成が為される。図５３において、ビデオ合成出力（Ｃ）は、（１）のボタン位置情報が選択された状態を示している。また、グラフィックパターン（Ｂ）と各ボタン位置情報は、グラフィックユニットに格納される。図５３の例では、各ボタン位置情報に２つのホットスポットが指定されており、（１）のボタン１用のボタン位置情報は、ホットスポット１１及び１２の位置情報を有し、夫々グラフィックパターンの上部の楕円及び星形状のボタンに対応し、そのどちらのボタンが選択／確定されても、同じボタンコマンドｅ２３５が発行され、メニューの選択確定動作は、同じである。同様に、（２）のボタン２用のボタン位置情報は、ホットスポット２１及び２２の位置情報を有し、夫々グラフィックパターンの中央部の楕円及び星形状のボタンに対応し、（３）のボタン３用のボタン位置情報は、ホットスポット３１及び３２の位置情報を有し、夫々グラフィックパターンの下部の楕円及び星形状のボタンに対応している。
【０２３６】
図５４は、図４５で示したビデオ合成に、さらに副映像データを含むビデオ合成の一例を示したものである。図５４において、ビデオ合成出力（Ｅ）は、主映像（Ａ）、副映像（Ｂ）、グラフィックパターン（Ｃ）およびマスクパターン（Ｄ）の４つのプレーンから構成され、それぞれ、主映像（Ａ）＋副映像（Ｂ）＋グラフィックパターン（Ｃ）＋マスクパターン（Ｄ）のデータを重ね合わせることでビデオ合成が為される。マスクプレーンでは、（１）〜（６）のボタンから選択されたボタンを重ね合わせる。図５４において、ビデオ合成出力（Ｅ）は、（１）のマスク（ボタン）パターンが選択された状態を示している。また、グラフィックパターン（Ｃ）とマスク（ボタン）パターン（Ｄ）のデータは、グラフィックユニットＧＵに格納される。
【０２３７】
図５５は、グラフィックデコーダを含むビデオデコーダ関連のビデオ合成フロー示す。図５５において、ビデオ合成は、
（１）ビデオデコーダでビデオデータをデコードする（ステップＳ１）
（２）副映像デコーダで副映像データをデコードする（ステップＳ２）
（３）グラフィックデコーダでグラフィックデータをデコードする（ステップＳ３）
（４）ハイライトデコーダでマスクデータをデコードする（ステップＳ４）
（５）グラフィックデータとマスクデータをミキサー混合する（ステップＳ５）
（６）カラーパレット選択とハイライト処理を実行する（ステップＳ６）
（７）ビデオ、副映像、グラフィックデコーダでデコードされた各データをミキサーで混合する（ステップＳ７）
（８）必要に応じて、ダウンコンバート、レターボックス（ＬＢ）及びパンスキャン（ＰＳ）等の変換処理を実行し、ビデオ出力する（ステップＳ８）
以上説明した様に、グラフィックユニットＧＵを記録した情報記憶媒体及びグラフィックユニットＧＵをデコードできるシステムでは、２５６色までのグラフィックで、従来の矩形ボタンのみならず、楕円形や星型などの複雑なボタン形状が構築でき、ユーザに対し多彩なメニュー画面を提供できる。さらに、グラフィックユニットＧＵは、字幕などに用いられる副映像ストリームと分離して構築されるので、従来のＳＤのＤＶＤメニューの様に、副映像の表示期間に左右されることなくグラフィックユニットＧＵの時間情報でメニュー選択期間を設定できるので、コンテンツ製作者の自由度が広がり、より多彩なコンテンツをユーザに提供可能となる。
【０２３８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【０２３９】
【発明の効果】
以上説明したように本発明によれば、再生専用のＤＶＤビデオコンテンツのユーザに対する表現力を一層向上させると共に、比較的簡易なオーサリングによりユーザが使い易いコンテンツの作成を可能とし、その結果、ユーザに対してＤＶＤビデオの魅力を更に高めることが可能なフォーマット規格に基付くデータ構造と、そのデータ構造が記録された情報記憶媒体を提供すると共に、この情報記憶媒体を再生可能な情報再生装置を提供することができる。
【図面の簡単な説明】
【図１】本発明実施形態におけるディスク形状の情報記憶媒体１に記録される情報内容を示す図。
【図２】従来のＳＤのＤＶＤビデオコンテンツのファイルシステムを示す図。
【図３】図１の（ｅ）に示すＨＤビデオマネージャ情報領域（ＨＤＶＭＧＩ）３１内のデータ構造を示す図。
【図４】図３のＨＤビデオマネージャ情報・管理テーブル（ＨＤＶＭＧＩ＿ＭＡＴ）３１０内のデータ構造を示す図。
【図５】図３に示したタイトルサーチポインタテーブル（ＴＴ＿ＳＲＰＴ）３１１内のデータ構造を示す図。
【図６】３に示したＨＤビデオマネージャメニュー・ＰＧＣＩ・ユニットテーブル（ＨＤＶＭＧＭ＿ＰＧＣＩ＿ＵＴ）３１２内のデータ構造を示す図。
【図７】図３に示したＨＤビデオマネージャメニューＰＧＣＩ（ＨＤＶＭＧＭ＿ＰＧＣＩ＿ＵＴ）３１２内に記録されるＨＤビデオマネージャメニュー・言語ユニット＃ｎ（ＨＤＶＭＧＭ＿ＬＵ  ＃ｎ）３１２ｃ（図６）内のデータ構造を示す図。
【図８】図７に示したＨＤビデオマネージャメニュー・言語ユニット＃ｎ（ＨＤＶＭＧＭ＿ＬＵ  ＃ｎ）３１２ｃ（図６）内に記録されるＨＤビデオマネージャメニュープログラムチェーンカテゴリ（ＨＤＶＭＧＭ＿ＰＧＣ＿ＣＡＴ）内のデータ構造を示す図。
【図９】図３に示したパレンタルマネジメント（管理）情報テーブル（ＰＴＬ＿ＭＡＩＴ）３１３内のデータ構造を示す図。
【図１０】図９に示したパレンタル管理情報（ＰＴＬ＿ＭＡＩ）３１３ｃ内のデータ構造を示す図。
【図１１】図３に示したＨＤビデオタイトルセット属性情報テーブル（ＨＤＶＴＳ＿ＡＴＲＴ）３１４内のデータ構造を示す図。
【図１２】図３に示したテキストデータマネージャ（ＴＸＴＤＴ＿ＭＧ）３１５内のデータ構造を示す図。
【図１３】図１２に示したテキストデータマネージャ（ＴＸＴＤＴ＿ＭＧ）３１５内のテキストデータ言語ユニット（ＴＸＴＤＴ＿ＬＵ）３１５ｃ内のデータ構造を示す図。
【図１４】図１３に示したテキストデータ言語ユニット（ＴＸＴＤＴ＿ＬＵ）３１５ｃ内のテキストデータ（ＴＸＴＤＴ）３１５ｃ４内のデータ構造を示す図。
【図１５】図３に示したＨＤビデオマネージャメニューセルアドレステーブル（ＨＤＶＭＧＭ＿Ｃ＿ＡＤＴ）３１６内のデータ構造を示す図。
【図１６】図３に示したＨＤビデオマネージャメニュービデオオブジェクトユニットアドレスマップ（ＨＤＶＭＧＭ＿ＶＯＢＵ＿ＡＤＭＡＰ）３１７内のデータ構造を示す図。
【図１７】ＨＤビデオコンテンツのメニュー用ＡＯＢ（ＨＤＭＥＮＵ＿ＡＯＢ）自体に対する管理情報内容を示す図。
【図１８】図２のＨＤ＿ＶＭＧ０１．ＨＤＶファイル内にまとめて格納された図１の（ｅ）に示すメニュー用ビデオオブジェクト領域（ＨＤＶＭＧＭ＿ＶＯＢＳ）３２内のデータ構造を示す図。
【図１９】メニュー用のオーディオオブジェクト領域（ＨＤＭＥＮＵ＿ＡＯＢＳ）内のデータ構造を示す図。
【図２０】図１の（ｆ）に示したＨＤビデオタイトルセット情報領域（ＨＤＶＴＳＩ）４１内のデータ構造を示す図。
【図２１】ＨＤビデオタイトルセット情報管理テーブル（ＨＤＶＴＳＩ＿ＭＡＴ）４１０内のデータ構造を示す図。
【図２２】図２０に示したＨＤビデオタイトルセットＰＴＴサーチポインタテーブル（ＨＤＶＴＳ＿ＰＰＴ＿ＳＲＰＴ）４１１の内のデータ構造を示す図。
【図２３】図２０に示したＨＤビデオタイトルセット・プログラムチェーン情報テーブル（ＨＤＶＴＳ＿ＰＧＣＩＴ）４１２内のデータ構造を示す図。
【図２４】図２３に示したＨＤＶＴＳ＿ＰＧＣＩサーチポインタ（ＨＤＶＴＳ＿ＰＧＣＩ＿ＳＰＲ）内に記録されるＨＤビデオタイトルセットプログラムチェーンカテゴリ（ＨＤＶＴＳ＿ＰＧＣ＿ＣＡＴ）内のデータ構造を示す図。
【図２５】図２０に示したＨＤビデオタイトルセットメニュー・ＰＧＣＩ・ユニットテーブル（ＨＤＶＴＳＭ＿ＰＧＣＩ＿ＵＴ）４１３内のデータ構造を示す図。
【図２６】図２５に示したＨＤビデオタイトルセットメニュー・言語ユニット（ＨＤＶＴＳＭ＿ＬＵ）４１３ｃ内のデータ構造を示す図。
【図２７】図２６に示したＨＤＶＴＳＭ＿ＰＧＣカテゴリ情報（ＨＤＶＴＳＭ＿ＰＧＣ＿ＣＡＴ）内のデータ構造を示す図。
【図２８】図２０に示したのＨＤビデオタイトルセット・タイムマップテーブル（ＨＤＶＴＳ＿ＴＭＡＰＴ）４１４内のデータ構造を示す図。
【図２９】図２０に示したＨＤビデオタイトルセットメニュー・セル・アドレステーブル（ＨＤＶＴＳＭ＿Ｃ＿ＡＤＴ）４１５内のデータ構造を示す図。
【図３０】図２０に示したＨＤビデオタイトルセットメニュー・ビデオオブジェクトユニット・アドレスマップ（ＨＤＶＴＳＭ＿ＶＯＢＵ＿ＡＤＭＡＰ）４１６内のデータ構造を示す図。
【図３１】図２０に示したＨＤビデオタイトルセット・セル・アドレステーブル（ＨＤＶＴＳ＿Ｃ＿ＡＤＴ）４１７内のデータ構造を示す図。
【図３２】図２０に示したＨＤビデオタイトルセット・セル・アドレステーブル（ＨＤＶＴＳ＿Ｃ＿ＡＤＴ）４１７内のデータ構造を示す図。
【図３３】プログラムチェーン情報ＰＧＣＩ内のデータ構造を示す図。
【図３４】プログラムチェーン情報ＰＧＣＩ内のプログラムチェーン・一般情報ＰＧＣＩ＿ＧＩ内のデータ構造を示す図。
【図３５】図３４に示したプログラムチェーン情報ＰＧＣＩ内のプログラムチェーン・コマンドテーブルＰＧＣＩ＿ＣＭＤＴ内のデータ構造を示す図。
【図３６】図３５に示したプログラムチェーン・コマンドテーブルＰＧＣＩ＿ＣＭＤＴ内のプログラムチェーン・コマンドテーブル情報ＰＧＣ＿ＣＭＤＴＩとリジュームコマンドＲＳＭ＿ＣＭＤ内のデータ構造を示す図。
【図３７】プログラムチェーン情報ＰＧＣＩ内に配置されたプログラムチェーン・プログラムマップ（ＰＧＣ＿ＰＧＭＡＰ）とセル・位置情報テーブル（Ｃ＿ＰＯＳＩＴ）５４内のデータ構造を示す図。
【図３８】プログラムチェーン情報ＰＧＣＩ内に配置されたセル・再生情報テーブルＣ＿ＰＢＩＴ内のデータ構造を示す図。
【図３９】グラフィックユニットＧＵがＭＰＥＧプログラムストリームとして格納される構造を示す図。
【図４０】グラフィックユニットＧＵの各ストリームに割当てられるストリームＩＤ及びサブストリームＩＤを示す図。
【図４１】マスクデータを有するグラフィックユニットＧＵのデータ構造の一例を示す図。
【図４２】図４１のマスクデータを有するグラフィックユニットのデータ構造の他の一例を示す図。
【図４３】ヘッダ情報ｂ１及び一般情報ｂ２１の内容を示す図。
【図４４】グラフィックユニットに格納されるデータイメージを示す図。
【図４５】マスクパターンを含むビデオ合成の一例を示す図。
【図４６】カラーパレット情報ｂ２２に格納されるカラー・コントラスト情報テーブルの一例を示す図。
【図４７】グラフィックユニットＧＵに格納される１ビット／画素のマスクデータｂ３のビット定義を示す図。
【図４８】ディスク形状の情報記憶媒体１からそこに格納されている情報を読み出して再生する情報再生装置（プレーヤ）を示す図。
【図４９】図４８の分離部１０３以降のビデオ系でコーダブロックのモデル例Ａを示す図。
【図５０】図４８の分離部１０３以降のビデオ系でコーダブロックのモデル例Ｂを示す図。
【図５１】図４８の分離部１０３以降のビデオ系でコーダブロックのモデル例Ｃを示す図。
【図５２】図４１及び図４２で示したグラフィックユニットＧＵのデータ構造において、ボタン位置情報を有する別の一例を示す図。
【図５３】図５２で示したボタン位置情報を有するグラフィックユニットを含むビデオ合成の一例を示す図。
【図５４】図４５で示したビデオ合成に、さらに副映像データを含むビデオ合成の一例を示す図。
【図５５】グラフィックデコーダを含むビデオデコーダ関連のビデオ合成のフローチャートを示す図。
【符号の説明】
１…ディスク形状の情報記憶媒体、１０…リードイン領域、１１…ボリューム／ファイル構造情報領域、１２…データ領域、１３…リードアウト領域、２０…ビデオデータ記録領域、２１…他のビデオデータ記録領域、２２…一般コンピュータ情報記録領域、３０…ＨＤビデオマネージャ記録領域、３１…ＨＤビデオマネージャ情報領域、３５…ファーストプレイＰＧＣ用言語選択メニュー、３２…メニュー用ビデオオブジェクト領域、３３…メニュー用オーディオオブジェクト領域、３４…ＨＤビデオマネージャ情報バックアップ領域、４０…ＨＤビデオタイトルセット記録領域、４１…ＨＤビデオタイトルセット情報領域、４２…メニュー用ビデオオブジェクト領域、４３…タイトル用ビデオオブジェクト領域、４４…ＨＤビデオタイトルセット情報バックアップ領域。
【図１】
2004343254.tif 000003
【図２】
2004343254.tif 000004
【図３】
2004343254.tif 000005
【図４】
2004343254.tif 000006
【図５】
2004343254.tif 000007
【図６】
2004343254.tif 000008
【図７】
2004343254.tif 000009
【図８】
2004343254.tif 000010
【図９】
2004343254.tif 000011
【図１０】
2004343254.tif 000012
【図１１】
2004343254.tif 000013
【図１２】
2004343254.tif 000014
【図１３】
2004343254.tif 000015
【図１４】
2004343254.tif 000016
【図１５】
2004343254.tif 000017
【図１６】
2004343254.tif 000018
【図１７】
2004343254.tif 000019
【図１８】
2004343254.tif 000020
【図１９】
2004343254.tif 000021
【図２０】
2004343254.tif 000022
【図２１】
2004343254.tif 000023
【図２２】
2004343254.tif 000024
【図２３】
2004343254.tif 000025
【図２４】
2004343254.tif 000026
【図２５】
2004343254.tif 000027
【図２６】
2004343254.tif 000028
【図２７】
2004343254.tif 000029
【図２８】
2004343254.tif 000030
【図２９】
2004343254.tif 000031
【図３０】
2004343254.tif 000032
【図３１】
2004343254.tif 000033
【図３２】
2004343254.tif 000034
【図３３】
2004343254.tif 000035
【図３４】
2004343254.tif 000036
【図３５】
2004343254.tif 000037
【図３６】
2004343254.tif 000038
【図３７】
2004343254.tif 000039
【図３８】
2004343254.tif 000040
【図３９】
2004343254.tif 000041
【図４０】
2004343254.tif 000042
【図４１】
2004343254.tif 000043
【図４２】
2004343254.tif 000044
【図４３】
2004343254.tif 000045
【図４４】
2004343254.tif 000046
【図４５】
2004343254.tif 000047
【図４６】
2004343254.tif 000048
【図４７】
2004343254.tif 000049
【図４８】
2004343254.tif 000050
【図４９】
2004343254.tif 000051
【図５０】
2004343254.tif 000052
【図５１】
2004343254.tif 000053
【図５２】
2004343254.tif 000054
【図５３】
2004343254.tif 000055
【図５４】
2004343254.tif 000056
【図５５】
2004343254.tif 000057